(57)【要約】【課題】観察者が、二次元画像に強い立体感もしくは自然な立体感を得ることができ、かつ疲労が生じにくい表示装置又は表示システムを提供する。【解決手段】表示部、検出部、及び制御部を有する表示システムであり、表示部は、可撓性を有し、検出部は、表示システムの観察者の目の状態を検出して、検出情報を取得する機能と、検出情報を制御部に供給する機能と、を有し、制御部は、検出情報から観察者の疲労情報を抽出する機能と、疲労情報に基づいて、表示部の曲率を変化させる機能と、を有する、表示システム。曲面を含む表示部は、該曲面の中心角が２０°以上９０°未満であることが好ましい。【選択図】図１
2016110117.tif 000002
【特許請求の範囲】
【請求項１】
曲面を含む表示部を有し、
前記曲面の中心角が２０°以上９０°未満である、表示装置。
【請求項２】
請求項１において、
前記表示部の精細度が２２０ｐｐｉ以上２０００ｐｐｉ以下である、表示装置。
【請求項３】
請求項１又は２において、
前記表示部のコントラスト比が１０００：１以上である、表示装置。
【請求項４】
請求項１乃至３のいずれか一項に記載の表示装置と、
ＦＰＣと、を有する、モジュール。
【請求項５】
表示部、検出部、及び制御部を有する表示システムであり、
前記表示部は、可撓性を有し、
前記検出部は、観察者の目の状態を検出して、検出情報を取得する機能と、前記検出情報を前記制御部に供給する機能と、を有し、
前記制御部は、前記検出情報から前記観察者の疲労情報を抽出する機能と、前記疲労情報に基づいて、前記表示部の曲率を変化させる機能と、を有する、表示システム。
【請求項６】
請求項１乃至３のいずれか一項に記載の表示装置、請求項４に記載のモジュール、又は請求項５に記載の表示システムと、
アンテナ、バッテリ、筐体、スピーカ、マイク、操作スイッチ、又は操作ボタンと、を有する、電子機器。
【発明の詳細な説明】
【技術分野】
【０００１】
本発明の一態様は、表示装置、モジュール、表示システム、及び電子機器に関する。本発明の一態様は、特に、有機エレクトロルミネッセンス（Ｅｌｅｃｔｒｏｌｕｍｉｎｅｓｃｅｎｃｅ、以下ＥＬとも記す）現象を利用した表示装置及び表示システムに関する。
【０００２】
なお、本発明の一態様は、上記の技術分野に限定されない。本発明の一態様の技術分野としては、半導体装置、表示装置、発光装置、蓄電装置、記憶装置、電子機器、照明装置、入力装置（例えば、タッチセンサなど）、入出力装置（例えば、タッチパネルなど）、それらの駆動方法、又は、それらの製造方法を一例として挙げることができる。
【背景技術】
【０００３】
テレビ受像機などの大型表示装置から携帯電話などの小型表示装置に至るまで様々な表示装置が市場に普及している。付加価値がより高い製品の一として、より臨場感のある画像を再現するため、立体画像の表示が可能な表示装置の開発が進められている。
【０００４】
人間が物体を立体として認識する生理的要因としては、両眼視差、輻輳、ピント調節、運動視差、像の大きさ、空間配置、明暗の差、陰影等が挙げられる。
【０００５】
例えば、両眼視差を利用して立体画像を表示する表示装置が知られている。このような表示装置は、同一画面に左目の位置から見える画像（左目用の画像）と右目の位置から見える画像（右目用の画像）とを表示し、観察者は左目で左目用の画像を、右目で右目用の画像を観察することにより立体画像を観察する。
【０００６】
例えば、メガネ方式を用いる表示装置の一例としては、左目用の画像と右目用の画像を、メガネに設けたシャッターと同期して、画面に交互に表示する装置がある。これにより、観察者は左目で左目用の画像を、右目で右目用の画像を、それぞれ観察することで立体画像を観察する。
【０００７】
また、裸眼での観察が可能な視差バリア方式を用いる表示装置は、画面が左右に並んだ複数の右目用の領域と左目用の領域（例えば短冊状の領域）に分割され、その境界に視差バリアが重ねて設けられている。分割された画面には、左目用の画像と右目用の画像とが同時に表示される。視差バリアは、右目用の画像が表示される領域を左目から隠し、左目用の画像が表示される領域を右目から隠す。その結果、左目は左目用の画像のみを、右目は右目用の画像のみを観察することにより、立体画像が観察できる。
【０００８】
なお、視差バリアを可変とし、平面画像の表示モードと立体画像の表示モードとを切り替え可能な表示装置が知られている（特許文献１）。
【０００９】
また、ＥＬ現象を利用した発光素子が知られている。この発光素子は、自発光型であるためコントラストが高く、入力信号に対する応答速度が速い。そして、この発光素子を応用した、消費電力が低減され、製造工程が簡単な、高精細化及び基板の大型化への対応が容易な表示装置が知られている（特許文献２）。
【先行技術文献】
【特許文献】
【００１０】
【特許文献１】国際公開第２００４／００３６３０号
【特許文献２】特開２０１１−２３８９０８号公報
【発明の概要】
【発明が解決しようとする課題】
【００１１】
シャッターを利用したメガネ方式を用いる表示装置では、画面において左目用の画像と右目用の画像を交互に表示するため、二次元画像の表示を行う場合に比べ、１フレーム期間における画素部への画像の書き込み回数が増える。したがって、高周波数での駆動が可能な駆動回路が必要となる他、表示装置の消費電力が高くなる。
【００１２】
視差バリア方式を用いる表示装置では、画素部の水平方向において、左目用の画像及び右目用の画像の、それぞれの画像の表示に寄与する画素数が、実際の画素数の半分となるため、高精細な画像の表示が妨げられる。
【００１３】
そのため、表示装置には、左目用の画像及び右目用の画像といった両眼視差を含む画像を用いず、二次元画像を用いて、観察者が強い奥行き感又は立体感を得られる画像を表示することが求められている。
【００１４】
また、両眼視差を利用して表示を行う表示装置で立体画像を視聴することで、観察者は、眼精疲労、不快感、頭痛、映像酔い等が生じる場合がある。
【００１５】
本発明の一態様は、観察者が、二次元画像に強い立体感もしくは奥行き感を得ることを目的の一とする。また、本発明の一態様は、観察者が、二次元画像に自然な立体感もしくは奥行き感を得ることを目的の一とする。
【００１６】
また、本発明の一態様は、新規な表示装置又は表示システムを提供することを目的の一とする。また、本発明の一態様は、観察者が、二次元画像に強い立体感もしくは奥行き感を得ることができる表示装置又は表示システムを提供することを目的の一とする。また、本発明の一態様は、観察者が、二次元画像に自然な立体感もしくは奥行き感を得ることができる表示装置又は表示システムを提供することを目的の一とする。また、本発明の一態様は、観察者が、二次元画像に強い立体感もしくは奥行き感を得ることができ、かつ、疲労が生じにくい表示装置又は表示システムを提供することを目的の一とする。また、本発明の一態様は、観察者が、二次元画像に自然な立体感もしくは奥行き感を得ることができ、かつ、疲労が生じにくい表示装置又は表示システムを提供することを目的の一とする。
【００１７】
なお、これらの課題の記載は、他の課題の存在を妨げるものではない。なお、本発明の一態様は、これらの課題の全てを解決する必要はないものとする。なお、明細書、図面、請求項の記載から、これら以外の課題を抽出することが可能である。
【課題を解決するための手段】
【００１８】
本発明の一態様は、曲面を含む表示部を有し、曲面の中心角が２０°以上９０°未満である、表示装置である。
【００１９】
上記構成において、表示部の精細度が２２０ｐｐｉ以上２０００ｐｐｉ以下であることが好ましい。
【００２０】
上記構成において、表示部のコントラスト比が１０００：１以上であることが好ましい。
【００２１】
また、上記のいずれかの構成が適用された発光装置、又は入出力装置等の装置も本発明の一態様である。これらの装置はそれぞれ、表示部に含まれる機能素子が異なる。例えば、本発明の一態様の表示装置は、機能素子として表示素子を有する。本発明の一態様の発光装置は、機能素子として発光素子を有する。本発明の一態様の入出力装置は、機能素子として発光素子又は表示素子と、タッチセンサと、を有する。
【００２２】
また、本発明の一態様は、上記のいずれかの構成が適用された発光装置、表示装置、又は入出力装置と、ＦＰＣ（Ｆｌｅｘｉｂｌｅ  ｐｒｉｎｔｅｄ  ｃｉｒｃｕｉｔ）とを有するモジュールである。
【００２３】
本発明の一態様は、表示部、検出部、及び制御部を有する表示システムであり、表示部は、可撓性を有し、検出部は、観察者の目の状態を検出して、検出情報を取得する機能と、検出情報を制御部に供給する機能と、を有し、制御部は、検出情報から観察者の疲労情報を抽出する機能と、疲労情報に基づいて、表示部の曲率を変化させる機能と、を有する、表示システムである。
【００２４】
また、上記のいずれかの構成の発光装置、表示装置、もしくは入出力装置を用いた電子機器又は照明装置も本発明の一態様である。例えば、本発明の一態様は、上記のいずれかの構成の発光装置、表示装置、入出力装置、モジュール、又は表示システムと、アンテナ、バッテリ、筐体、スピーカ、マイク、操作スイッチ、又は操作ボタンと、を有する、電子機器である。
【発明の効果】
【００２５】
本発明の一態様によると、観察者が、二次元画像に強い立体感もしくは奥行き感を得ることができる。また、本発明の一態様によると、観察者が、二次元画像に自然な立体感もしくは奥行き感を得ることができる。
【００２６】
本発明の一態様では、新規な表示装置又は表示システムを提供することができる。また、本発明の一態様では、観察者が、二次元画像に強い立体感もしくは奥行き感を得ることができる表示装置又は表示システムを提供することができる。また、本発明の一態様では、観察者が、二次元画像に自然な立体感もしくは奥行き感を得ることができる表示装置又は表示システムを提供することができる。また、本発明の一態様では、観察者が、二次元画像に強い立体感もしくは奥行き感を得ることができ、かつ、疲労が生じにくい表示装置又は表示システムを提供することができる。また、本発明の一態様では、観察者が、二次元画像に自然な立体感もしくは奥行き感を得ることができ、かつ、疲労が生じにくい表示装置又は表示システムを提供することができる。
【００２７】
なお、これらの効果の記載は、他の効果の存在を妨げるものではない。なお、本発明の一態様は、必ずしも、これらの効果の全てを有する必要はない。なお、明細書、図面、請求項の記載から、これら以外の効果を抽出することが可能である。
【図面の簡単な説明】
【００２８】
【図１】表示装置の一例を示す図。
【図２】中心角を説明する図。
【図３】表示装置の一例を示す図。
【図４】表示装置の一例を示す図。
【図５】表示システムの一例を示す図。
【図６】発光装置の一例を示す図。
【図７】発光装置の一例を示す図。
【図８】発光装置の一例を示す図。
【図９】発光装置の一例を示す図。
【図１０】入出力装置の一例を示す図。
【図１１】入出力装置の一例を示す図。
【図１２】入出力装置の一例を示す図。
【図１３】入出力装置の一例を示す図。
【図１４】電子機器及び照明装置の一例を示す図。
【図１５】電子機器の一例を示す図。
【図１６】電子機器の一例を示す図。
【図１７】実施例１の表示装置を示す図。
【図１８】実施例１の感性評価結果を示す図。
【図１９】実施例１の感性評価結果を示す図。
【図２０】実施例１の感性評価結果を示す図。
【図２１】実施例１の感性評価結果を示す図。
【図２２】実施例１の感性評価結果を示す図。
【図２３】実施例１の感性評価結果を示す図。
【図２４】実施例２の結果を示す図。
【図２５】実施例２の結果を示す図。
【発明を実施するための形態】
【００２９】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００３０】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００３１】
また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００３２】
なお、「膜」という言葉と、「層」という言葉とは、場合によっては、又は、状況に応じて、互いに入れ替えることが可能である。例えば、「導電層」という用語を、「導電膜」という用語に変更することが可能である。または、例えば、「絶縁膜」という用語を、「絶縁層」という用語に変更することが可能である。
【００３３】
（実施の形態１）
本実施の形態では、本発明の一態様の表示装置及び表示システムについて図１〜図５を用いて説明する。
【００３４】
なお、本実施の形態では表示装置を例に挙げて説明するが、本発明の一態様は、発光装置及び入出力装置にも適用することができる。実施の形態２、３では、本発明の一態様が適用可能な発光装置及び入出力装置を例示する。
【００３５】
本発明の一態様は、曲面を含む表示部を有する表示装置である。
【００３６】
表示装置において、視差を用いなくても、二次元画像に自然な立体感が得られる現象（ｎａｔｕｒａｌ３Ｄ、ｎ３Ｄ（いずれも登録商標））が確認される場合がある。
【００３７】
表示部が平滑な場合に比べて、曲がっている場合（湾曲している場合）の方が、観察者は、表示された二次元画像に、強い立体感を得ることができる。
【００３８】
表示部は、左右方向に曲がっていてもよいし、上下方向に曲がっていてもよい。また、表示部は、表示面側（又は観察者側）に凸面（凸曲面）を有していてもよいし、表示面側に凹面（凹曲面）を有していてもよい。
【００３９】
表示部は、可撓性を有していてもよく、例えば、左右方向に曲げることができてもよいし、上下方向に曲げることができてもよい。また、表示部は、表示面側に凸面を有することができてもよいし、表示面側に凹面を有することができてもよい。表示部が可撓性を有する場合、表示部を曲げない状態（表示部が平滑な状態）で表示を行ってもよい。例えば、本発明の一態様の表示装置は、表示に立体感を得たいときに、表示部が曲面を有するように曲げて使用し、表示に立体感を得る必要が無いときは、表示部を平滑な状態にして使用することができる。
【００４０】
なお、表示部の制御は、観察者自身が行う方法、又は、表示装置もしくは表示部が自動で行う方法のうち、少なくとも一つを適用することができる。また、表示部は、画像の再生中に湾曲させることができてもよい。または、画像の再生中は表示部の形状が一定で、画像を再生していないときに曲げることができる仕様であってもよい。
【００４１】
図１に、本発明の一態様の表示装置の一例を示す。なお、図１（Ａ２）、（Ｂ２）、（Ｃ２）、（Ｄ２）それぞれにおいて、観察者（右目３０Ｒ及び左目３０Ｌ）側に表示装置の表示面があるものとする。
【００４２】
図１（Ａ１）、（Ａ２）に示す表示装置１１０は、表示部１０１及び非表示部１０２を有する。表示部１０１は、左右方向（ここでは表示部１０１の長軸方向）に曲がっており、表示面側（観察者側）に凸面（凸曲面）を有する。
【００４３】
図１（Ｂ１）、（Ｂ２）に示す表示装置１１１は、表示部１０１及び非表示部１０２を有する。表示部１０１は、左右方向に曲がっており、表示面側（観察者側）に凹面（凹曲面）を有する。
【００４４】
図１（Ｃ１）、（Ｃ２）に示す表示装置１１２は、表示部１０１及び非表示部１０２を有する。表示部１０１は、上下方向（ここでは表示部１０１の短軸方向）に曲がっており、表示面側（観察者側）に凸面を有する。
【００４５】
図１（Ｄ１）、（Ｄ２）に示す表示装置１１３は、表示部１０１及び非表示部１０２を有する。表示部１０１は、上下方向に曲がっており、表示面側（観察者側）に凹面を有する。
【００４６】
図１（Ａ１）、（Ｂ１）、（Ｃ１）、（Ｄ１）のいずれの構成であっても、観察者は、二次元画像に強い立体感又は奥行き感を得ることができる。上下方向に比べて、左右方向に曲げる方が、より強い立体感又は奥行き感を得ることができ、好ましい。また、凹面に比べて、凸面を観察者側に有する方が、より強い立体感又は奥行き感を得ることができ、好ましい。
【００４７】
また、本発明の一態様は、曲面を含む表示部を有し、曲面の中心角が２０°以上１４５°以下である、表示装置である。観察者は、このような表示装置に表示された二次元画像に強い立体感又は奥行き感を得ることができる。
【００４８】
また、本発明の一態様は、曲面を含む表示部を有し、曲面の中心角が２０°以上９０°未満である、表示装置である。中心角は、２５°以上６５°以下が好ましく、３５°以上５５°以下がより好ましい。観察者は、このような表示装置に表示された二次元画像に、自然な立体感又は奥行き感を得ることができる。また、観察者は、このような表示装置に表示された二次元画像から立体感又は奥行き感を得られても、疲労しにくい。
【００４９】
図２（Ａ）、（Ｂ）を用いて曲面の中心角を説明する。図２（Ａ）には、表示面側（観察者側）に凸面を有する場合の中心角を示し、図２（Ｂ）には、表示面側（観察者側）に凹面を有する場合の中心角を示す。図２（Ａ）、（Ｂ）に示すように、本発明の一態様の表示装置１０は、曲面を有する。本明細書等において、曲面の中心角とは、曲面が描く弧に対する中心角θのことである。なお、表示装置、表示部、又は曲面が円の一部と完全に一致しない場合、その形状を最もよく近似する弧に対する中心角θを、曲面の中心角とみなすことができる。
【００５０】
図２（Ａ）の右側の枠内に示すように、曲面の中心角が大きいほど、曲率半径が小さい、つまり、曲率が大きいといえる。
【００５１】
曲面の中心角が大きすぎると、観察者は疲労しやすくなる場合があり、曲面の中心角が小さすぎると、観察者は二次元画像から立体感が得られにくくなる場合がある。したがって、中心角は、４５°に近いほど好ましい。
【００５２】
図３（Ａ１）、（Ａ２）に示す表示装置１１４のように、本発明の一態様の表示装置は、複数の曲面を含む表示部１０１を有していてもよい。表示部１０１は、左右方向に曲がっており、表示面側に凸面及び凹面を有する。
【００５３】
図３（Ｂ）に示す表示装置１１５のように、本発明の一態様の表示装置は、曲げ線が表示装置又は表示部の辺に平行又は垂直でなくてもよく、斜め方向に曲がっていてもよい。
【００５４】
次に、観察者が二次元画像から得る立体感について、主観評価実験によって調査した結果について説明する。なお、被験者は各実験で１０人以上である。
【００５５】
例えば、高精細な表示部を用いると、二次元画像に立体感を得ることができる。
【００５６】
具体的には、表示部の精細度が２２０ｐｐｉ以上であると、二次元画像に強い立体感を得ることができるため、好ましい。
【００５７】
観察者が得られる立体感と、精細度との関係を調査した実験では、表示装置として、３．９３インチ、精細度が４５８ｐｐｉの有機ＥＬディスプレイを用いた。視距離は３０ｃｍで、実験環境は暗所である。実験から、精細度が１１４．５ｐｐｉの動画像を観察した場合に比べて、精細度が２２９ｐｐｉの動画像を観察した場合は、画像から得られる立体感が強まったという結果が得られた。また、精細度が２２９ｐｐｉの動画像を観察した場合と、精細度が４５８ｐｐｉの動画像を観察した場合では、画像から得られる立体感は同程度であったという結果が得られた。これにより、画像の精細度が十分に高いことで、観察者が二次元画像に立体感を得やすいと考えられる。
【００５８】
上記の通り、画像の精細度が高ければ高いほど、画像から得られる立体感が高まるわけではない。例えば、表示部の精細度は、２２０ｐｐｉ以上２０００ｐｐｉ以下とすることができる。なお、ヘッドマウントディスプレイなど、ディスプレイの用途によっては、精細度が２０００ｐｐｉより高いことが好ましい場合もある。
【００５９】
また、例えば、視力１．０の観察者が二次元画像に強い立体感を得るためには、角解像度が２０ｃｐｄ以上であると好ましく、３０ｃｐｄ以上であるとより好ましく、６０ｃｐｄ以上であるとさらに好ましい。
【００６０】
また、コントラストが高い表示部を用いると、二次元画像に立体感を得ることができる。
【００６１】
具体的には、表示部のコントラスト比が１０００：１以上であることが好ましい。
【００６２】
観察に使用した表示装置における黒の輝度を、最も低い値から徐々に高い値に変化させることで、観察者が得られる画像の立体感が弱まったという結果が得られた。これにより、画像のコントラストが高いほど、観察者が二次元画像に立体感を得やすいと考えられる。
【００６３】
なお、表示装置において、表示部の湾曲の度合いが一定であると、不具合が生じる場合がある。例えば、観察者によって立体感又は奥行き感の得られ方が異なり、表示部の湾曲の適切な範囲に個人差がある場合がある。表示部の湾曲の度合いが観察者にとって適していない場合、表示部を観察しても、観察者は二次元画像に立体感又は奥行き感を得にくい場合がある。逆に、立体感又は奥行き感が強すぎると、脳及び目への負荷が大きくなり、観察者の疲労感が強まる場合がある。また、表示部に表示する画像によって、観察者が得られる立体感又は奥行き感の強弱に意図せず変化が出てしまう、又は変化を出したいが出せない場合などがある。
【００６４】
そこで、本発明の一態様の表示装置では、表示部の湾曲の度合いを可変とする。これにより、観察者にとって自然な立体感が得られ、かつ、疲れにくいように、表示部の湾曲の度合いを調整することができる。例えば、観察者の疲労の度合いに応じて、表示部の湾曲の度合いを調整することができる。また、表示部に表示する画像に応じて、表示部の湾曲の度合いを調整することで、意図しない立体感もしくは奥行き感の強弱の変化を抑制する、又は意図して立体感もしくは奥行き感の強弱を変化させることができる。これにより、本発明の一態様の表示装置では、観察者が、二次元画像に強い立体感又は奥行き感を得ることができ、かつ、疲れにくい。
【００６５】
図４（Ａ）〜（Ｃ）に本発明の一態様の表示装置を示す。図４（Ａ）は、表示装置の上面図であり、図４（Ｂ）は、表示装置の斜視図であり、図４（Ｃ）は、表示装置の側面図である。
【００６６】
図４（Ａ）〜（Ｃ）に示す表示装置は、可撓性を有する表示部１０１及び非表示部１０２と、複数の駆動部１０４と、を含む。駆動部１０４はそれぞれ独立に動くことができる。構造体２０に取り付けられた駆動部１０４の長さ又は位置によって、表示部１０１の湾曲の加減又は向き等を調整することができる。駆動部１０４は、矢印に示すように、構造体２０の表面上を上下左右に移動できてもよい。また、構造体２０の表面と垂直な方向の長さが可変であってもよい。表示部１０１又は非表示部１０２と、駆動部１０４と、の接点が移動してもよい。
【００６７】
駆動部の数は問わない。駆動部が複数個ある場合、これら複数の駆動部はそれぞれ独立に駆動する、又は一部もしくは全部が同期して駆動する。
【００６８】
なお、駆動部１０４は、表示装置を構成する部材に取り付けられていてもよいし、表示装置を配置する壁面又は床面に取り付けてもよい。つまり、構造体２０は、表示装置に含まれていてもよいし、含まれなくてもよい。
【００６９】
次に、本発明の一態様の表示システムの構成例を図５（Ａ）に示す。
【００７０】
図５（Ａ）に示す表示システム１５は、表示部１５１、検出部１５２、及び制御部１５３を有する。
【００７１】
表示部１５１は、可撓性を有する。表示部１５１は曲げた状態で表示を行うことができる。例えば、中心角が２０°以上１４５°以下の範囲となる曲面を表示部１５１に形成することができる。また、表示部１５１が平滑な状態で表示システム１５を使用することができる。
【００７２】
検出部１５２は、観察者の目の状態を検出して、検出情報を取得する機能と、検出情報を制御部１５３に供給する機能と、を有する。
【００７３】
検出部１５２は、検出器と、コントローラと、を有する。
【００７４】
検出器はコントローラによって駆動が制御される。検出器は観察者の目の状態を検出し、その目の状態の情報（検出情報）をコントローラに出力することができる。
【００７５】
観察者の目の状態には、観察者の眼球の動き、眼球を構成する部分（白目、虹彩、瞳孔等）の色もしくは形状、又はまぶたの動きなどが含まれる。
【００７６】
検出器としては、例えばカメラ又はビデオカメラを用いることができる。このとき、観察者の眼球の映像をカメラ又はビデオカメラで撮影し、その映像を検出情報としてコントローラに出力する。
【００７７】
検出器は、例えば、赤外線を放出する光源と、観察者の眼球から反射した赤外線を検出する受光部と、を備える構成とすることができる。赤外線を使用することで、観察者に負担をかけることなく、精度良く観察者の目の状態を検出することができる。
【００７８】
また、検出部１５２は、表示部を観察している際の観察者の焦点距離又は視線の方向等を検出してもよい。
【００７９】
コントローラは、検出器から供給された検出情報を制御部１５３に供給する。
【００８０】
制御部１５３は、検出情報から観察者の疲労情報を抽出する機能と、疲労情報に基づいて、表示部１５１の湾曲の度合いを変化させる機能と、を有する。表示部１５１の湾曲の度合いは、曲率、曲率半径、又は曲面の中心角と、表示部１５１の大きさと、により決定することができる。
【００８１】
図５（Ｂ）に示すように、制御部１５３は、記憶部１６１、演算部１６２、及び駆動制御部１６３を有する。
【００８２】
記憶部１６１には、検出部１５２から検出情報が供給される。記憶部１６１は、検出情報、演算部１６２が演算処理を実行するコンピュータプログラム、ルックアップテーブル、又は演算結果等を記憶する各種の記憶回路を有する。
【００８３】
記憶部１６１は、例えば、演算部１６２の処理を規定するための情報を記憶することができる。例えば、観察者の疲労状態に基づいて、表示部１５１の曲率を変化させる処理を行うか否かを規定する情報を含む。また、表示部１５１の曲率を変化させる度合い、疲労状態の検出頻度、疲労状態の判定のしきい値などを設定するパラメータを含んでいてもよい。また、これらの情報は、表示システムの使用者が自由に変更可能であることが好ましい。
【００８４】
演算部１６２には、記憶部１６１から検出情報が供給される。演算部１６２は、供給された検出情報を解析することで、制御信号を生成する。
【００８５】
演算部１６２は、検出情報から観察者の疲労情報を抽出し、該疲労情報に基づいて、表示部１５１の湾曲の加減を変化させるように、駆動制御部１６３の動作を制御する。
【００８６】
観察者の疲労情報としては、例えば、観察者の注視期間の長さ、所定時間あたりの瞬きの回数などを用いることができる。このほか、眼球の振動（眼振、眼球振とう、ともいう）の振幅もしくは振動数、眼球の充血度、瞳孔の面積、又はまぶた等の痙攣の頻度などを疲労情報として用いることができる。また、観察者が長時間（例えば１秒以上）まぶたをとじる仕草、もしくは指等で目を押さえる仕草など、疲労に伴って生理的に行われやすい仕草、又はその頻度を疲労情報として用いることもできる。演算部１６２は、検出情報に含まれるこのような疲労情報をデータとして抽出する。
【００８７】
また、演算部１６２は、記憶部１６１に記憶された演算部１６２の処理を規定するための情報を読み出すことができてもよい。このとき、これらの情報と、検出情報から抽出した疲労情報の両方に基づいて、演算を実行する。
【００８８】
ここで、演算部１６２が抽出する疲労情報は、観察者の疲労状態に応じて段階的にレベル（疲労レベル）が設定されることが好ましい。このとき、各疲労レベルに対応して表示部１５１の湾曲の度合いを変化させる。例えば、観察者の疲労が軽微な場合に比べて重篤な場合に、中心角がより小さくなる（曲率半径が大きくなる、又は曲率が小さくなる、ともいえる）ようにする。
【００８９】
また、観察者の疲労状態が一定期間継続された場合に、段階的に疲労レベルを更新する構成としてもよい。例えば、観察者の疲労が改善されない状態が一定期間継続した場合に、中心角をより小さくするようにする。
【００９０】
このように、観察者の疲労レベル、又は疲労状態の継続期間に応じて、段階的に補正を強めるように動作することにより、長時間の使用であっても、観察者の疲労の蓄積を緩和させる、さらには疲労を改善させることができる。
【００９１】
なお、観察者の疲労が検出された場合に、表示部の湾曲の加減を変化させることと併せて、観察者が疲労していることを知らせてもよい。例えば、表示部１５１に表示を行う、スピーカから音を発する等により、観察者が疲労していることを知らせることができる。これにより、観察者に表示装置の使用の休止などを促すことができ、眼精疲労の蓄積を防止することができる。
【００９２】
駆動制御部１６３には、演算部１６２で生成された制御信号が供給され、該制御信号に基づき、表示部１５１の湾曲の加減を制御することができる。表示部１５１を直接動かしてもよいし、図４（Ａ）〜（Ｃ）に示すような駆動部を動かすことで間接的に表示部１５１を動かしてもよい。
【００９３】
表示システム１５の動作の手順の例について説明する。
【００９４】
まず、表示部１５１で表示を行う。
【００９５】
次に、検出部１５２が観察者の目の状態を検出して、検出情報を取得する。検出部１５２は、表示部１５１が表示を行っている期間中、継続して検出を行うか、一定時間おきに検出を行うことが好ましい。
【００９６】
検出部１５２は、検出情報を制御部１５３に供給する。
【００９７】
制御部１５３は、検出情報から疲労情報をデータとして抽出する。制御部１５３は、疲労情報に基づき、表示部１５１の曲率を変化させる必要があるかを判断する。表示部１５１の曲率を変化させる必要があると判断した場合、制御部１５３は、表示部１５１の曲率を変化させる。
【００９８】
なお、制御部１５３は、検出部１５２が検出した情報以外の情報を用いて、表示部１５１の湾曲の加減又は向き等を変化させてもよい。例えば、動画像の内容に応じて、表示部１５１の湾曲の加減又は向き等を変化させることができる。これにより、観察者が、二次元画像により強い立体感又は奥行き感を得ることができ、好ましい。
【００９９】
具体的には、例えば、移動体が観察者側に向かってくるような動画を表示する際には、観察者側に凸面を有するよう、表示部１５１を変形することが好ましい。
【０１００】
例えば、制御部１５３には、表示部１５１で表示する画像データが供給されてもよい。演算部１６２は、供給された画像データを解析することで、制御信号を生成できると好ましい。
【０１０１】
画像データの解析としては、スペクトル解析（内容分析など）、広がり又は動きの検出（ズームイン・ズームアウト、パン・チルト（パンニング）、動きの速度、動きの方向などの検出）等が挙げられる。
【０１０２】
また、演算部１６２に音声データが供給される場合は、供給された音声データを解析することで制御信号を生成することが好ましい。また、画像データ及び音声データの双方の解析結果に基づいて制御信号を生成することが好ましい。
【０１０３】
音声データの解析としては、スペクトル解析（内容分析など）、音源分析、音楽又は人の声等の分離抽出等が挙げられる。
【０１０４】
立体感、疲労感などの感性評価の結果などのデータが演算部１６２に供給される場合は、これらのデータを解析することで、制御信号を生成することが好ましい。
【０１０５】
例えば、表示システムを使用する複数の使用者について、事前の感性評価にて、どのような曲面を有する表示部が強い立体感を得られやすいか、調べておく。各使用者は表示システムを使用する際に、感性評価で得た自分のデータを選択する。すると、演算部１６２で該データを解析することで生成された制御信号が、演算部１６２から制御部に供給される。そして、該制御信号に基づき、駆動制御部が、使用者に合った曲面になるよう、表示部を変形させる。
【０１０６】
また、観察者が立体感の強弱、有無、又は表示部の湾曲の加減等を選択することができ、該選択に基づく信号が制御部１５３に供給されることが好ましい。演算部１６２では、該信号に応じた制御信号を生成してもよい。
【０１０７】
＜表示部＞
本発明の一態様の表示装置は、面状に画像を表示することができる表示部を有する。なお、本明細書中における画像は、静止画像又は動画像（映像）のいずれであってもよい。
【０１０８】
表示部は、曲面を有していれば特に限定されない。表示部が可撓性を有すると、曲面の形状又は曲率等を可変にできるため、好ましい。
【０１０９】
表示部は、表示素子を有していてもよい。表示部が有する表示素子、又は表示部の一例としては、ＥＬ素子（有機物及び無機物を含むＥＬ素子、有機ＥＬ素子、無機ＥＬ素子）、ＬＥＤ（白色ＬＥＤ、赤色ＬＥＤ、緑色ＬＥＤ、青色ＬＥＤなど）、トランジスタ（電流に応じて発光するトランジスタ）、電子放出素子、液晶素子、電子インク、電気泳動素子、ＭＥＭＳ（マイクロ・エレクトロ・メカニカル・システム）を用いた表示素子等が挙げられる。ＥＬ素子を用いた表示部の一例としては、ＥＬディスプレイなどがある。液晶素子を用いた表示部の一例としては、液晶ディスプレイ（透過型液晶ディスプレイ、半透過型液晶ディスプレイ、反射型液晶ディスプレイ、直視型液晶ディスプレイ、投射型液晶ディスプレイ）などがある。電子インク又は電気泳動素子を用いた表示部の一例としては、電子ペーパーなどがある。
【０１１０】
なお、表示部が有機ＥＬディスプレイであると、液晶ディスプレイに比べて、観察者は二次元画像に強い立体感又は奥行き感を得ることができる傾向が見られた。したがって、本発明の一態様は、有機ＥＬディスプレイ、特に、可撓性を有する有機ＥＬディスプレイに適用することが好ましい。
【０１１１】
表示部は、例えば、ＦＨＤ（１９２０×１０８０）、４Ｋ２Ｋ（３８４０×２０４８もしくは４０９６×２１８０等）、又は８Ｋ４Ｋ（７６８０×４３２０もしくは８１９２×４３２０等）のような高解像度とすることが好ましい。
【０１１２】
なお、本発明の一態様の表示装置が有する非表示部は、例えば、表示素子もしくは発光素子の駆動回路、又は、封止領域を含んでいてもよい。
【０１１３】
本発明の一態様の表示装置は、アミューズメント施設（遊園地、ゲームセンター、テーマパーク等）、劇場、又は映画館等に用いることができる。例えば、アトラクションの内容に応じて、表示部の湾曲の加減を変化させることで、観察者が、二次元画像に強い立体感又は奥行き感を得ることができる。
【０１１４】
以上に示したように、本発明の一態様の表示装置では、表示部に曲面を有することで、観察者が二次元画像に強い立体感又は奥行き感を得ることができる。また、本発明の一態様の表示装置では、表示部の湾曲の加減を変化させることができるため、個人差又は表示内容によらず、観察者が二次元画像に強い立体感又は奥行き感を得ることができる。また、観察者にとって好ましい曲率となるよう、観察者又は表示システムが湾曲の加減を調整することができるため、観察者にとって湾曲の度合いが好ましくない表示部を用いる場合と比較して、観察者に与える疲労感を低減できる。
【０１１５】
本実施の形態は、他の実施の形態と適宜組み合わせることができる。
【０１１６】
（実施の形態２）
本実施の形態では、本発明の一態様の発光装置について図面を用いて説明する。
【０１１７】
本実施の形態では、主に有機ＥＬ素子を用いた発光装置を例示するが、本発明の一態様はこれに限られない。
【０１１８】
本実施の形態で例示する発光装置を曲げた際、発光装置における曲率半径の最小値は、１ｍｍ以上１５０ｍｍ以下、１ｍｍ以上１００ｍｍ以下、１ｍｍ以上５０ｍｍ以下、１ｍｍ以上１０ｍｍ以下、又は２ｍｍ以上５ｍｍ以下とすることができる。本実施の形態の発光装置は、小さな曲率半径（例えば２ｍｍ以上５ｍｍ以下）で折り曲げても素子が壊れることがなく、信頼性が高い。本実施の形態の発光装置を曲げる方向は問わない。また、曲げる箇所は１か所であっても２か所以上であってもよい。
【０１１９】
本発明の一態様の発光装置は、二次元画像に強い立体感又は自然な立体感を得ることができる。また、本発明の一態様の発光装置は、二次元画像に強い立体感又は自然な立体感を得ることができ、かつ、疲労が生じにくい。
【０１２０】
＜具体例１＞
図６（Ａ）に発光装置の平面図を示し、図６（Ａ）における一点鎖線Ｄ１−Ｄ２間の断面図の一例を図６（Ｂ）に示す。具体例１で示す発光装置は、カラーフィルタ方式を用いたトップエミッション型の発光装置である。本実施の形態において、発光装置は、例えば、Ｒ（赤）、Ｇ（緑）、Ｂ（青）の３色の副画素で１つの色を表現する構成、Ｒ、Ｇ、Ｂ、Ｗ（白）の４色の副画素で１つの色を表現する構成、又はＲ、Ｇ、Ｂ、Ｙ（黄）の４色の副画素で１つの色を表現する構成等が適用できる。色要素としては特に限定はなく、ＲＧＢＷＹ以外の色を用いてもよく、例えば、シアン又はマゼンタ等を用いてもよい。
【０１２１】
図６（Ａ）に示す発光装置は、発光部８０４、駆動回路部８０６、ＦＰＣ８０８を有する。
【０１２２】
図６（Ｂ）に示す発光装置は、第１の可撓性基板７０１、第１の接着層７０３、第１の絶縁層７０５、第１の機能層（複数のトランジスタ、導電層８５７、絶縁層８１５、絶縁層８１７、複数の発光素子、及び絶縁層８２１）、第３の接着層８２２、第２の機能層（着色層８４５及び遮光層８４７）、第２の絶縁層７１５、第２の接着層７１３、並びに第２の可撓性基板７１１を有する。第３の接着層８２２、第２の絶縁層７１５、第２の接着層７１３、及び第２の可撓性基板７１１は可視光を透過する。発光部８０４及び駆動回路部８０６に含まれる発光素子及びトランジスタは第１の可撓性基板７０１、第２の可撓性基板７１１、及び第３の接着層８２２によって封止されている。
【０１２３】
発光部８０４は、第１の接着層７０３、及び第１の絶縁層７０５を介して第１の可撓性基板７０１上にトランジスタ８２０及び発光素子８３０を有する。発光素子８３０は、絶縁層８１７上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。下部電極８３１は可視光を反射することが好ましい。上部電極８３５は可視光を透過する。
【０１２４】
また、発光部８０４は、発光素子８３０と重なる着色層８４５と、絶縁層８２１と重なる遮光層８４７と、を有する。発光素子８３０と着色層８４５の間は第３の接着層８２２で充填されている。
【０１２５】
絶縁層８１５は、トランジスタを構成する半導体への不純物の拡散を抑制する効果を奏する。また、絶縁層８１７は、トランジスタ起因の表面凹凸を低減するために平坦化機能を有する絶縁層を選択することが好適である。
【０１２６】
駆動回路部８０６は、第１の接着層７０３及び第１の絶縁層７０５を介して第１の可撓性基板７０１上にトランジスタを複数有する。図６（Ｂ）では、駆動回路部８０６が有するトランジスタのうち、１つのトランジスタを示している。
【０１２７】
第１の絶縁層７０５と第１の可撓性基板７０１は第１の接着層７０３によって貼り合わされている。また、第２の絶縁層７１５と第２の可撓性基板７１１は第２の接着層７１３によって貼り合わされている。第１の絶縁層７０５及び第２の絶縁層７１５のうち少なくとも一方に防湿性の高い膜を用いると、発光素子８３０及びトランジスタ８２０に水等の不純物が侵入することを抑制でき、発光装置の信頼性が高くなるため好ましい。
【０１２８】
導電層８５７は、駆動回路部８０６に外部からの信号又は電位を伝達する外部入力端子と電気的に接続する。ここでは、外部入力端子としてＦＰＣ８０８を設ける例を示している。工程数の増加を防ぐため、導電層８５７は、発光部及び駆動回路部に用いる電極又は配線と同一の材料、同一の工程で作製することが好ましい。ここでは、導電層８５７を、トランジスタ８２０を構成する電極と同一の材料、同一の工程で作製した例を示す。
【０１２９】
図６（Ｂ）に示す発光装置では、ＦＰＣ８０８が第２の可撓性基板７１１上に位置する。接続体８２５は、第２の可撓性基板７１１、第２の接着層７１３、第２の絶縁層７１５、第３の接着層８２２、絶縁層８１７、及び絶縁層８１５に設けられた開口を介して導電層８５７と接続している。また、接続体８２５はＦＰＣ８０８に接続している。接続体８２５を介してＦＰＣ８０８と導電層８５７は電気的に接続する。導電層８５７と第２の可撓性基板７１１とが重なる場合には、第２の可撓性基板７１１を開口する（又は開口部を有する基板を用いる）ことで、導電層８５７、接続体８２５、及びＦＰＣ８０８を電気的に接続させることができる。
【０１３０】
図６（Ａ）、（Ｂ）に示す発光装置の変形例を示す。図７（Ａ）に発光装置の平面図を示し、図７（Ａ）における一点鎖線Ｄ３−Ｄ４間の断面図の一例を図７（Ｂ）に示す。また、図７（Ａ）における一点鎖線Ｄ５−Ｄ６間の断面図の一例を図８（Ａ）に示す。
【０１３１】
図７（Ａ）、（Ｂ）に示す発光装置は、第１の可撓性基板７０１と第２の可撓性基板７１１の大きさが異なる場合の例である。ＦＰＣ８０８が第２の絶縁層７１５上に位置し、第２の可撓性基板７１１と重ならない。接続体８２５は、第２の絶縁層７１５、第３の接着層８２２、絶縁層８１７、及び絶縁層８１５に設けられた開口を介して導電層８５７と接続している。第２の可撓性基板７１１に開口を設ける必要がないため、第２の可撓性基板７１１の材料が制限されない。
【０１３２】
なお、ガスバリア性又は防湿性が低い有機樹脂を用いて形成する絶縁層は、発光装置の端部に露出させないことが好ましい。このような構成とすることで、発光装置の側面から不純物が侵入することを抑制できる。例えば、図７（Ｂ）、図８（Ａ）に示すように、発光装置の端部に、絶縁層８１７を設けない構成としてもよい。
【０１３３】
また、発光部８０４の変形例を図８（Ｂ）に示す。
【０１３４】
図８（Ｂ）に示す発光装置は、絶縁層８１７ａ及び絶縁層８１７ｂを有し、絶縁層８１７ａ上に導電層８５６を有する。トランジスタ８２０のソース電極又はドレイン電極と、発光素子８３０の下部電極と、が、導電層８５６を介して、電気的に接続される。
【０１３５】
図８（Ｂ）に示す発光装置は、絶縁層８２１上にスペーサ８２３を有する。スペーサ８２３を設けることで、第１の可撓性基板７０１と第２の可撓性基板７１１の間隔を調整することができる。
【０１３６】
図８（Ｂ）に示す発光装置は、着色層８４５及び遮光層８４７を覆うオーバーコート８４９を有する。発光素子８３０とオーバーコート８４９の間は接着層８２２で充填されている。
【０１３７】
また、発光素子８３０の変形例を図８（Ｃ）に示す。
【０１３８】
なお、図８（Ｃ）に示すように、発光素子８３０は、下部電極８３１とＥＬ層８３３の間に、光学調整層８３２を有していてもよい。光学調整層８３２には、透光性を有する導電性材料を用いることが好ましい。カラーフィルタ（着色層）とマイクロキャビティ構造（光学調整層）との組み合わせにより、本発明の一態様の発光装置からは、色純度の高い光を取り出すことができる。光学調整層の厚さは、各副画素の発光色に応じて変化させる。
【０１３９】
＜具体例２＞
図８（Ｄ）に示す発光装置は、第１の可撓性基板７０１、第１の接着層７０３、第１の絶縁層７０５、第１の機能層（導電層８１４、導電層８５７ａ、導電層８５７ｂ、発光素子８３０、及び絶縁層８２１）、第２の接着層７１３、及び第２の可撓性基板７１１を有する。
【０１４０】
導電層８５７ａ及び導電層８５７ｂは、発光装置の外部接続電極であり、ＦＰＣ等と電気的に接続させることができる。
【０１４１】
発光素子８３０は、下部電極８３１、ＥＬ層８３３、及び上部電極８３５を有する。下部電極８３１の端部は、絶縁層８２１で覆われている。発光素子８３０はボトムエミッション型、トップエミッション型、又はデュアルエミッション型である。光を取り出す側の電極、基板、絶縁層等は、それぞれ可視光を透過する。導電層８１４は、下部電極８３１と電気的に接続する。
【０１４２】
光を取り出す側の基板は、光取り出し構造として、半球レンズ、マイクロレンズアレイ、凹凸構造が施されたフィルム、光拡散フィルム等を有していてもよい。例えば、樹脂基板上に上記レンズ又はフィルムを、該基板又は該レンズもしくはフィルムと同程度の屈折率を有する接着剤等を用いて接着することで、光取り出し構造を有する基板を形成することができる。
【０１４３】
導電層８１４は必ずしも設ける必要は無いが、下部電極８３１の抵抗に起因する電圧降下を抑制できるため、設けることが好ましい。また、同様の目的で、上部電極８３５と電気的に接続する導電層を絶縁層８２１上、ＥＬ層８３３上、又は上部電極８３５上などに設けてもよい。
【０１４４】
導電層８１４は、銅、チタン、タンタル、タングステン、モリブデン、クロム、ネオジム、スカンジウム、ニッケル、アルミニウムから選ばれた材料又はこれらを主成分とする合金材料等を用いて、単層で又は積層して形成することができる。導電層８１４の厚さは、例えば、０．１μｍ以上３μｍ以下とすることができ、好ましくは、０．１μｍ以上０．５μｍ以下である。
【０１４５】
＜具体例３＞
図７（Ａ）に発光装置の平面図を示し、図７（Ａ）における一点鎖線Ｄ３−Ｄ４間の断面図の一例を図９（Ａ）に示す。具体例３で示す発光装置は、カラーフィルタ方式を用いたボトムエミッション型の発光装置である。
【０１４６】
図９（Ａ）に示す発光装置は、第１の可撓性基板７０１、第１の接着層７０３、第１の絶縁層７０５、第１の機能層（複数のトランジスタ、導電層８５７、絶縁層８１５、着色層８４５、絶縁層８１７ａ、絶縁層８１７ｂ、導電層８５６、複数の発光素子、及び絶縁層８２１）、第２の接着層７１３、及び第２の可撓性基板７１１を有する。第１の可撓性基板７０１、第１の接着層７０３、第１の絶縁層７０５、絶縁層８１５、絶縁層８１７ａ、及び絶縁層８１７ｂは可視光を透過する。
【０１４７】
発光部８０４は、第１の接着層７０３、及び第１の絶縁層７０５を介して第１の可撓性基板７０１上にトランジスタ８２０、トランジスタ８２４、及び発光素子８３０を有する。発光素子８３０は、絶縁層８１７ｂ上の下部電極８３１と、下部電極８３１上のＥＬ層８３３と、ＥＬ層８３３上の上部電極８３５と、を有する。下部電極８３１は、トランジスタ８２０のソース電極又はドレイン電極と電気的に接続する。下部電極８３１の端部は、絶縁層８２１で覆われている。上部電極８３５は可視光を反射することが好ましい。下部電極８３１は可視光を透過する。発光素子８３０と重なる着色層８４５を設ける位置は、特に限定されず、例えば、絶縁層８１７ａと絶縁層８１７ｂの間、又は絶縁層８１５と絶縁層８１７ａの間等に設けることができる。
【０１４８】
駆動回路部８０６は、第１の接着層７０３及び第１の絶縁層７０５を介して第１の可撓性基板７０１上にトランジスタを複数有する。図９（Ａ）では、駆動回路部８０６が有するトランジスタのうち、２つのトランジスタを示している。
【０１４９】
第１の絶縁層７０５と第１の可撓性基板７０１は第１の接着層７０３によって貼り合わされている。第１の絶縁層７０５に防湿性の高い膜を用いると、発光素子８３０、トランジスタ８２０、又はトランジスタ８２４に水等の不純物が侵入することを抑制でき、発光装置の信頼性が高くなるため好ましい。
【０１５０】
導電層８５７は、駆動回路部８０６に外部からの信号又は電位を伝達する外部入力端子と電気的に接続する。ここでは、外部入力端子としてＦＰＣ８０８を設ける例を示している。また、ここでは、導電層８５７を、導電層８５６と同一の材料、同一の工程で作製した例を示す。
【０１５１】
＜具体例４＞
図７（Ａ）に発光装置の平面図を示し、図７（Ａ）における一点鎖線Ｄ３−Ｄ４間の断面図の一例を図９（Ｂ）に示す。具体例４で示す発光装置は、塗り分け方式を用いたトップエミッション型の発光装置である。
【０１５２】
図９（Ｂ）に示す発光装置は、第１の可撓性基板７０１、第１の接着層７０３、第１の絶縁層７０５、第１の機能層（複数のトランジスタ、導電層８５７、絶縁層８１５、絶縁層８１７、複数の発光素子、絶縁層８２１、及びスペーサ８２３）、第２の接着層７１３、及び第２の可撓性基板７１１を有する。第２の接着層７１３及び第２の可撓性基板７１１は可視光を透過する。
【０１５３】
図９（Ｂ）に示す発光装置では、接続体８２５が絶縁層８１５上に位置する。接続体８２５は、絶縁層８１５に設けられた開口を介して導電層８５７と接続している。また、接続体８２５はＦＰＣ８０８に接続している。接続体８２５を介してＦＰＣ８０８と導電層８５７は電気的に接続する。
【０１５４】
＜材料の一例＞
次に、発光装置に用いることができる材料等を説明する。なお、本明細書中で先に説明した構成については説明を省略する場合がある。
【０１５５】
基板には、ガラス、石英、有機樹脂、金属、合金などの材料を用いることができる。発光素子からの光を取り出す側の基板は、該光を透過する材料を用いる。
【０１５６】
特に、可撓性基板を用いることが好ましい。例えば、有機樹脂、又は、可撓性を有する程度の厚さのガラス、金属、もしくは合金を用いることができる。例えば、可撓性基板の厚さは、１μｍ以上２００μｍ以下が好ましく、１μｍ以上１００μｍ以下がより好ましく、１０μｍ以上５０μｍ以下がさらに好ましく、１０μｍ以上２５μｍ以下がさらに好ましい。
【０１５７】
ガラスに比べて有機樹脂は比重が小さいため、可撓性基板として有機樹脂を用いると、ガラスを用いる場合に比べて発光装置を軽量化でき、好ましい。
【０１５８】
基板には、靱性が高い材料を用いることが好ましい。これにより、耐衝撃性に優れ、破損しにくい発光装置を実現できる。例えば、有機樹脂基板、又は、厚さの薄い金属基板もしくは合金基板を用いることで、ガラス基板を用いる場合に比べて、軽量であり、破損しにくい発光装置を実現できる。
【０１５９】
金属材料及び合金材料は、それぞれ熱伝導性が高く、基板全体に熱を容易に伝導できるため、発光装置の局所的な温度上昇を抑制することができ、好ましい。金属材料又は合金材料を用いた基板の厚さは、１０μｍ以上２００μｍ以下が好ましく、２０μｍ以上５０μｍ以下であることがより好ましい。
【０１６０】
金属基板及び合金基板を構成する材料としては、特に限定はないが、例えば、アルミニウム、銅、ニッケル、又は、アルミニウム合金もしくはステンレス等の金属の合金などを好適に用いることができる。
【０１６１】
また、基板に、熱放射率が高い材料を用いると発光装置の表面温度が高くなることを抑制でき、発光装置の破壊又は信頼性の低下を抑制できる。例えば、基板を金属基板と熱放射率の高い層（例えば、金属酸化物又はセラミック材料を用いることができる）の積層構造としてもよい。
【０１６２】
可撓性及び透光性を有する材料としては、例えば、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂（ナイロン、アラミド等）、シクロオレフィン樹脂、ポリスチレン樹脂、ポリアミドイミド樹脂、ポリ塩化ビニル樹脂、ポリテトラフルオロエチレン（ＰＴＦＥ）樹脂等が挙げられる。特に、線膨張係数の低い材料を用いることが好ましく、例えば、ポリアミドイミド樹脂、ポリイミド樹脂、ポリアミド樹脂、ＰＥＴ等を好適に用いることができる。また、繊維体に樹脂を含浸した基板（プリプレグともいう）や、無機フィラーを有機樹脂に混ぜて線膨張係数を下げた基板を使用することもできる。
【０１６３】
可撓性基板としては、上記材料を用いた層が、装置の表面を傷などから保護するハードコート層（例えば、窒化シリコン層など）、又は押圧を分散可能な材質の層（例えば、アラミド樹脂層など）等と積層されて構成されていてもよい。
【０１６４】
可撓性基板は、複数の層を積層して用いることもできる。特に、ガラス層を有する構成とすると、水又は酸素に対するバリア性を向上させ、信頼性の高い発光装置とすることができる。
【０１６５】
例えば、発光素子に近い側からガラス層、接着層、及び有機樹脂層を積層した可撓性基板を用いることができる。当該ガラス層の厚さとしては２０μｍ以上２００μｍ以下、好ましくは２５μｍ以上１００μｍ以下とする。このような厚さのガラス層は、水又は酸素に対する高いバリア性と可撓性を同時に実現できる。また、有機樹脂層の厚さとしては、１０μｍ以上２００μｍ以下、好ましくは２０μｍ以上５０μｍ以下とする。このような有機樹脂層を設けることにより、ガラス層の割れ又はクラックを抑制し、機械的強度を向上させることができる。このようなガラス材料と有機樹脂の複合材料を基板に適用することにより、極めて信頼性が高いフレキシブルな発光装置とすることができる。
【０１６６】
接着層には、紫外線硬化型等の光硬化型接着剤、反応硬化型接着剤、熱硬化型接着剤、嫌気型接着剤などの各種硬化型接着剤を用いることができる。これら接着剤としてはエポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等が挙げられる。特に、エポキシ樹脂等の透湿性が低い材料が好ましい。また、二液混合型の樹脂を用いてもよい。また、接着シート等を用いてもよい。
【０１６７】
また、上記樹脂に乾燥剤を含んでいてもよい。例えば、アルカリ土類金属の酸化物（酸化カルシウム又は酸化バリウム等）のように、化学吸着によって水分を吸着する物質を用いることができる。または、ゼオライト又はシリカゲル等のように、物理吸着によって水分を吸着する物質を用いてもよい。乾燥剤が含まれていると、水分などの不純物が機能素子に侵入することを抑制でき、発光装置の信頼性が向上するため好ましい。
【０１６８】
また、上記樹脂に屈折率の高いフィラー又は光散乱部材を混合することにより、発光素子からの光取り出し効率を向上させることができる。例えば、酸化チタン、酸化バリウム、ゼオライト、ジルコニウム等を用いることができる。
【０１６９】
第１の絶縁層７０５及び第２の絶縁層７１５としては、それぞれ、防湿性の高い絶縁膜を用いることが好ましい。または、第１の絶縁層７０５及び第２の絶縁層７１５は、それぞれ、不純物の発光素子への拡散を防ぐ機能を有していることが好ましい。
【０１７０】
防湿性の高い絶縁膜としては、窒化シリコン膜、窒化酸化シリコン膜等の窒素と珪素を含む膜、又は窒化アルミニウム膜等の窒素とアルミニウムを含む膜等が挙げられる。また、酸化シリコン膜、酸化窒化シリコン膜、酸化アルミニウム膜等を用いてもよい。
【０１７１】
例えば、防湿性の高い絶縁膜の水蒸気透過量は、１×１０−５［ｇ／（ｍ２・ｄａｙ）］以下、好ましくは１×１０−６［ｇ／（ｍ２・ｄａｙ）］以下、より好ましくは１×１０−７［ｇ／（ｍ２・ｄａｙ）］以下、さらに好ましくは１×１０−８［ｇ／（ｍ２・ｄａｙ）］以下とする。
【０１７２】
発光装置において、第１の絶縁層７０５又は第２の絶縁層７１５の少なくとも一方は、発光素子の発光を透過する必要がある。第１の絶縁層７０５又は第２の絶縁層７１５のうち、発光素子の発光を透過する側の絶縁層は、他方の絶縁層よりも、波長４００ｎｍ以上８００ｎｍ以下における光の透過率の平均が高いことが好ましい。
【０１７３】
発光装置が有するトランジスタの構造は特に限定されない。例えば、スタガ型のトランジスタとしてもよいし、逆スタガ型のトランジスタとしてもよい。また、トップゲート型又はボトムゲート型のいずれのトランジスタ構造としてもよい。トランジスタに用いる半導体材料は特に限定されず、例えば、シリコン、ゲルマニウム、有機半導体等が挙げられる。または、Ｉｎ−Ｇａ−Ｚｎ系金属酸化物などの、インジウム、ガリウム、亜鉛のうち少なくとも一つを含む酸化物半導体を用いてもよい。
【０１７４】
トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０１７５】
本発明の一態様では、トランジスタに用いる半導体材料として、ＣＡＡＣ−ＯＳ（Ｃ  Ａｘｉｓ  Ａｌｉｇｎｅｄ  Ｃｒｙｓｔａｌｌｉｎｅ  Ｏｘｉｄｅ  Ｓｅｍｉｃｏｎｄｕｃｔｏｒ）を用いることが好ましい。ＣＡＡＣ−ＯＳは非晶質とは異なり、欠陥準位が少なく、トランジスタの信頼性を高めることができる。また、ＣＡＡＣ−ＯＳは結晶粒界が確認されないという特徴を有するため、大面積に安定で均一な膜を形成することが可能で、また可撓性を有する発光装置を湾曲させたときの応力によってＣＡＡＣ−ＯＳ膜にクラックが生じにくい。
【０１７６】
ＣＡＡＣ−ＯＳは、膜面に対して、結晶のｃ軸が概略垂直配向した結晶性酸化物半導体のことである。酸化物半導体の結晶構造としては他にナノスケールの微結晶集合体であるｎａｎｏ−ｃｒｙｓｔａｌ（ｎｃ）など、単結晶とは異なる多彩な構造が存在することが確認されている。ＣＡＡＣ−ＯＳは、単結晶よりも結晶性が低く、ｎｃに比べて結晶性が高い。
【０１７７】
トランジスタの特性安定化等のため、下地膜を設けることが好ましい。下地膜としては、酸化シリコン膜、窒化シリコン膜、酸化窒化シリコン膜、窒化酸化シリコン膜などの無機絶縁膜を用い、単層で又は積層して作製することができる。下地膜はスパッタリング法、ＣＶＤ（Ｃｈｅｍｉｃａｌ  Ｖａｐｏｒ  Ｄｅｐｏｓｉｔｉｏｎ）法（プラズマＣＶＤ法、熱ＣＶＤ法、ＭＯＣＶＤ（Ｍｅｔａｌ  Ｏｒｇａｎｉｃ  ＣＶＤ）法など）、ＡＬＤ（Ａｔｏｍｉｃ  Ｌａｙｅｒ  Ｄｅｐｏｓｉｔｉｏｎ）法、塗布法、印刷法等を用いて形成できる。なお、下地膜は、必要で無ければ設けなくてもよく、この場合、第１の絶縁層７０５がトランジスタの下地膜を兼ねることができる。
【０１７８】
発光素子としては、自発光が可能な素子を用いることができ、電流又は電圧によって輝度が制御される素子をその範疇に含んでいる。例えば、発光ダイオード（ＬＥＤ）、有機ＥＬ素子、無機ＥＬ素子等を用いることができる。
【０１７９】
発光素子は、トップエミッション型、ボトムエミッション型、デュアルエミッション型のいずれであってもよい。光を取り出す側の電極には、可視光を透過する導電膜を用いる。また、光を取り出さない側の電極には、可視光を反射する導電膜を用いることが好ましい。
【０１８０】
可視光を透過する導電膜は、例えば、酸化インジウム、インジウム錫酸化物（ＩＴＯ：Ｉｎｄｉｕｍ  Ｔｉｎ  Ｏｘｉｄｅ）、インジウム亜鉛酸化物、酸化亜鉛（ＺｎＯ）、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電膜として用いることができる。例えば、銀とマグネシウムの合金とＩＴＯの積層膜などを用いると、導電性を高めることができるため好ましい。また、グラフェン等を用いてもよい。
【０１８１】
可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料又は合金に、ランタン、ネオジム、又はゲルマニウム等が添加されていてもよい。また、アルミニウムとチタンの合金、アルミニウムとニッケルの合金、アルミニウムとネオジムの合金、アルミニウム、ニッケル、及びランタンの合金（Ａｌ−Ｎｉ−Ｌａ）等のアルミニウムを含む合金（アルミニウム合金）、銀と銅の合金、銀とパラジウムと銅の合金（Ａｇ−Ｐｄ−Ｃｕ、ＡＰＣとも記す）、又は銀とマグネシウムの合金等の銀を含む合金を用いて形成することができる。銀と銅を含む合金は、耐熱性が高いため好ましい。さらに、アルミニウム合金膜に接する金属膜又は金属酸化物膜を積層することで、アルミニウム合金膜の酸化を抑制することができる。該金属膜、金属酸化物膜の材料としては、チタン、酸化チタンなどが挙げられる。また、上記可視光を透過する導電膜と金属材料からなる膜とを積層してもよい。例えば、銀とＩＴＯの積層膜、銀とマグネシウムの合金とＩＴＯの積層膜などを用いることができる。
【０１８２】
電極は、それぞれ、蒸着法又はスパッタリング法を用いて形成することができる。そのほか、インクジェット法などの吐出法、スクリーン印刷法などの印刷法、又はメッキ法を用いて形成することができる。
【０１８３】
下部電極８３１及び上部電極８３５の間に、発光素子の閾値電圧より高い電圧を印加すると、ＥＬ層８３３に陽極側から正孔が注入され、陰極側から電子が注入される。注入された電子と正孔はＥＬ層８３３において再結合し、ＥＬ層８３３に含まれる発光物質が発光する。
【０１８４】
ＥＬ層８３３は少なくとも発光層を有する。ＥＬ層８３３は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有していてもよい。
【０１８５】
ＥＬ層８３３には低分子系化合物及び高分子系化合物のいずれを用いることもでき、無機化合物を含んでいてもよい。ＥＬ層８３３を構成する層は、それぞれ、蒸着法（真空蒸着法を含む）、転写法、印刷法、インクジェット法、塗布法等の方法で形成することができる。
【０１８６】
発光素子８３０は、２以上の発光物質を含んでいてもよい。これにより、例えば、白色発光の発光素子を実現することができる。例えば２以上の発光物質の各々の発光が補色の関係となるように、発光物質を選択することにより白色発光を得ることができる。例えば、Ｒ（赤）、Ｇ（緑）、Ｂ（青）、Ｙ（黄）、又はＯ（橙）等の発光を示す発光物質、又はＲ、Ｇ、Ｂのうち２以上の色のスペクトル成分を含む発光を示す発光物質を用いることができる。例えば、青の発光を示す発光物質と、黄の発光を示す発光物質を用いてもよい。このとき、黄の発光を示す発光物質の発光スペクトルは、緑及び赤のスペクトル成分を含むことが好ましい。また、発光素子８３０の発光スペクトルは、可視領域（例えば３５０ｎｍ以上７５０ｎｍ以下、又は４００ｎｍ以上８００ｎｍ以下など）の範囲内に２以上のピークを有することが好ましい。
【０１８７】
ＥＬ層８３３は、複数の発光層を有していてもよい。ＥＬ層８３３において、複数の発光層は、互いに接して積層されていてもよいし、分離層を介して積層されていてもよい。例えば、蛍光発光層と、燐光発光層との間に、分離層を設けてもよい。
【０１８８】
分離層は、例えば、燐光発光層中で生成する燐光材料の励起状態から蛍光発光層中の蛍光材料へのデクスター機構によるエネルギー移動（特に三重項エネルギー移動）を防ぐために設けることができる。分離層は数ｎｍ程度の厚さがあることが好ましい。具体的には、０．１ｎｍ以上２０ｎｍ以下、あるいは１ｎｍ以上１０ｎｍ以下、あるいは１ｎｍ以上５ｎｍ以下である。分離層は、単一の材料（好ましくはバイポーラ性の物質）、又は複数の材料（好ましくは正孔輸送性材料及び電子輸送性材料）を含む。
【０１８９】
分離層は、該分離層と接する発光層に含まれる材料を用いて形成してもよい。これにより、発光素子の作製が容易になり、また、駆動電圧が低減される。例えば、燐光発光層が、ホスト材料、アシスト材料、及び燐光材料（ゲスト材料）からなる場合、分離層を、該ホスト材料及びアシスト材料で形成してもよい。上記構成を別言すると、分離層は、燐光材料を含まない領域を有し、燐光発光層は、燐光材料を含む領域を有する。これにより、分離層と燐光発光層とを燐光材料の有無で蒸着することが可能となる。また、このような構成とすることで、分離層と燐光発光層を同じチャンバーで成膜することが可能となる。これにより、製造コストを削減することができる。
【０１９０】
また、発光素子８３０は、ＥＬ層を１つ有するシングル素子であってもよいし、電荷発生層を介して積層されたＥＬ層を複数有するタンデム素子であってもよい。
【０１９１】
発光素子は、一対の防湿性の高い絶縁膜の間に設けられていることが好ましい。これにより、発光素子に水等の不純物が侵入することを抑制でき、発光装置の信頼性の低下を抑制できる。具体的には、上記のように、第１の絶縁層７０５及び第２の絶縁層７１５として、防湿性の高い絶縁膜を用いると、発光素子が一対の防湿性の高い絶縁膜の間に位置し、発光装置の信頼性の低下を抑制できる。
【０１９２】
絶縁層８１５としては、例えば、酸化シリコン膜、酸化窒化シリコン膜、酸化アルミニウム膜などの無機絶縁膜を用いることができる。また、絶縁層８１７、絶縁層８１７ａ、及び絶縁層８１７ｂとしては、例えば、ポリイミド、アクリル、ポリアミド、ポリイミドアミド、ベンゾシクロブテン系樹脂等の有機材料をそれぞれ用いることができる。また、低誘電率材料（ｌｏｗ−ｋ材料）等を用いることができる。また、絶縁膜を複数積層させることで、各絶縁層を形成してもよい。
【０１９３】
絶縁層８２１としては、有機絶縁材料又は無機絶縁材料を用いて形成する。樹脂としては、例えば、ポリイミド樹脂、ポリアミド樹脂、アクリル樹脂、シロキサン樹脂、エポキシ樹脂、又はフェノール樹脂等を用いることができる。特に感光性の樹脂材料を用い、下部電極８３１上に開口部を形成し、その開口部の側壁が連続した曲率を持って形成される傾斜面となるように形成することが好ましい。
【０１９４】
絶縁層８２１の形成方法は、特に限定されない。例えば、フォトリソグラフィ法、スパッタ法、蒸着法、液滴吐出法（インクジェット法等）、印刷法（スクリーン印刷、オフセット印刷等）等を用いることができる。
【０１９５】
スペーサ８２３は、無機絶縁材料、有機絶縁材料、金属材料等を用いて形成することができる。例えば、無機絶縁材料又は有機絶縁材料としては、上記絶縁層に用いることができる各種材料が挙げられる。金属材料としては、チタン、アルミニウムなどを用いることができる。導電材料を含むスペーサ８２３と上部電極８３５とを電気的に接続させる構成とすることで、上部電極８３５の抵抗に起因した電位降下を抑制できる。また、スペーサ８２３は、順テーパ形状であっても逆テーパ形状であってもよい。
【０１９６】
トランジスタの電極もしくは配線、又は発光素子の補助電極等として機能する、発光装置に用いる導電層は、例えば、モリブデン、チタン、クロム、タンタル、タングステン、アルミニウム、銅、ネオジム、スカンジウム等の金属材料又はこれらの元素を含む合金材料を用いて、単層で又は積層して形成することができる。また、導電層は、導電性の金属酸化物を用いて形成してもよい。導電性の金属酸化物としては酸化インジウム（Ｉｎ２Ｏ３等）、酸化スズ（ＳｎＯ２等）、ＺｎＯ、ＩＴＯ、インジウム亜鉛酸化物（Ｉｎ２Ｏ３−ＺｎＯ等）又はこれらの金属酸化物材料に酸化シリコンを含ませたものを用いることができる。
【０１９７】
着色層は特定の波長帯域の光を透過する有色層である。例えば、赤色、緑色、青色、又は黄色の波長帯域の光を透過するカラーフィルタなどを用いることができる。各着色層は、様々な材料を用いて、印刷法、インクジェット法、フォトリソグラフィ法を用いたエッチング方法などでそれぞれ所望の位置に形成する。また、白色の副画素では、発光素子と重ねて透明等の樹脂を配置してもよい。
【０１９８】
遮光層は、隣接する着色層の間に設けられている。遮光層は隣接する発光素子からの光を遮光し、隣接する発光素子間における混色を抑制する。ここで、着色層の端部を、遮光層と重なるように設けることにより、光漏れを抑制することができる。遮光層としては、発光素子からの発光を遮る材料を用いることができ、例えば、金属材料、又は、顔料もしくは染料を含む樹脂材料を用いてブラックマトリクスを形成することができる。なお、遮光層は、駆動回路部などの発光部以外の領域に設けると、導波光などによる意図しない光漏れを抑制できるため好ましい。
【０１９９】
また、着色層及び遮光層を覆うオーバーコートを設けてもよい。オーバーコートを設けることで、着色層に含有された不純物等の発光素子への拡散を防止することができる。オーバーコートは、発光素子からの発光を透過する材料から構成され、例えば窒化シリコン膜、酸化シリコン膜等の無機絶縁膜、又はアクリル膜、ポリイミド膜等の有機絶縁膜を用いることができ、有機絶縁膜と無機絶縁膜との積層構造としてもよい。
【０２００】
また、接着層の材料を着色層及び遮光層上に塗布する場合、オーバーコートの材料として接着層の材料に対して濡れ性の高い材料を用いることが好ましい。例えば、オーバーコートとして、ＩＴＯ膜などの酸化物導電膜、又は透光性を有する程度に薄いＡｇ膜等の金属膜を用いることが好ましい。
【０２０１】
オーバーコートの材料に、接着層の材料に対して濡れ性の高い材料を用いることで、接着層の材料を均一に塗布することができる。これにより、一対の基板を貼り合わせた際に気泡が混入することを抑制でき、表示不良を抑制することができる。
【０２０２】
接続体としては、様々な異方性導電フィルム（ＡＣＦ：Ａｎｉｓｏｔｒｏｐｉｃ  Ｃｏｎｄｕｃｔｉｖｅ  Ｆｉｌｍ）、又は異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２０３】
なお、本発明の一態様の発光装置は、表示装置として用いてもよいし、照明装置として用いてもよい。例えば、バックライト又はフロントライトなどの光源、つまり、表示装置のための照明装置として活用してもよい。
【０２０４】
本実施の形態は、他の実施の形態と適宜組み合わせることができる。
【０２０５】
（実施の形態３）
本実施の形態では、本発明の一態様の入出力装置であるタッチパネルについて図面を用いて説明する。なお、タッチパネルが有する構成要素のうち、実施の形態２で説明した発光装置と同様の構成要素については、先の記載も参照することができる。また、本実施の形態では、発光素子を用いたタッチパネルを例示するが、これに限られない。
【０２０６】
本発明の一態様の入出力装置は、二次元画像に強い立体感又は自然な立体感を得ることができる。また、本発明の一態様の入出力装置は、二次元画像に強い立体感又は自然な立体感を得ることができ、かつ、疲労が生じにくい。
【０２０７】
＜構成例１＞
図１０（Ａ）は入出力装置の上面図である。図１０（Ｂ）は図１０（Ａ）の一点鎖線Ａ−Ｂ間及び一点鎖線Ｃ−Ｄ間の断面図である。図１０（Ｃ）は図１０（Ａ）の一点鎖線Ｅ−Ｆ間の断面図である。
【０２０８】
図１０（Ａ）に示すタッチパネル３９０は、表示部３０１（入力部も兼ねる）、走査線駆動回路３０３ｇ（１）、撮像画素駆動回路３０３ｇ（２）、画像信号線駆動回路３０３ｓ（１）、及び撮像信号線駆動回路３０３ｓ（２）を有する。
【０２０９】
表示部３０１は、複数の画素３０２と、複数の撮像画素３０８と、を有する。
【０２１０】
画素３０２は、複数の副画素を有する。各副画素は、発光素子及び画素回路を有する。
【０２１１】
画素回路は、発光素子を駆動する電力を供給することができる。画素回路は、選択信号を供給することができる配線と電気的に接続される。また、画素回路は、画像信号を供給することができる配線と電気的に接続される。
【０２１２】
走査線駆動回路３０３ｇ（１）は、選択信号を画素３０２に供給することができる。
【０２１３】
画像信号線駆動回路３０３ｓ（１）は、画像信号を画素３０２に供給することができる。
【０２１４】
撮像画素３０８を用いてタッチセンサを構成することができる。具体的には、撮像画素３０８は、表示部３０１に触れる指等を検知することができる。
【０２１５】
撮像画素３０８は、光電変換素子及び撮像画素回路を有する。
【０２１６】
撮像画素回路は、光電変換素子を駆動することができる。撮像画素回路は、制御信号を供給することができる配線と電気的に接続される。また、撮像画素回路は、電源電位を供給することができる配線と電気的に接続される。
【０２１７】
制御信号としては、例えば、記録された撮像信号を読み出す撮像画素回路を選択することができる信号、撮像画素回路を初期化することができる信号、及び撮像画素回路が光を検知する時間を決定することができる信号などを挙げることができる。
【０２１８】
撮像画素駆動回路３０３ｇ（２）は、制御信号を撮像画素３０８に供給することができる。
【０２１９】
撮像信号線駆動回路３０３ｓ（２）は、撮像信号を読み出すことができる。
【０２２０】
図１０（Ｂ）、（Ｃ）に示すように、タッチパネル３９０は、第１の可撓性基板７０１、第１の接着層７０３、第１の絶縁層７０５、第２の可撓性基板７１１、第２の接着層７１３、及び第２の絶縁層７１５を有する。また、第１の可撓性基板７０１及び第２の可撓性基板７１１は、第３の接着層３６０で貼り合わされている。
【０２２１】
第１の可撓性基板７０１と第１の絶縁層７０５は第１の接着層７０３で貼り合わされている。また、第２の可撓性基板７１１と第２の絶縁層７１５は第２の接着層７１３で貼り合わされている。基板、接着層、及び絶縁層に用いることができる材料については実施の形態２を参照することができる。
【０２２２】
画素３０２は、副画素３０２Ｒ、副画素３０２Ｇ、及び副画素３０２Ｂを有する（図１０（Ｃ））。
【０２２３】
例えば副画素３０２Ｒは、発光素子３５０Ｒ及び画素回路を有する。画素回路は、発光素子３５０Ｒに電力を供給することができるトランジスタ３０２ｔを含む。また、副画素３０２Ｒは、さらに、光学素子（例えば赤色の光を透過する着色層３６７Ｒ）を有する。
【０２２４】
発光素子３５０Ｒは、下部電極３５１Ｒ、ＥＬ層３５３、及び上部電極３５２をこの順で積層して有する（図１０（Ｃ））。
【０２２５】
ＥＬ層３５３は、第１のＥＬ層３５３ａ、中間層３５４、及び第２のＥＬ層３５３ｂをこの順で積層して有する。
【０２２６】
なお、特定の波長の光を効率よく取り出せるように、発光素子３５０Ｒにマイクロキャビティ構造を配設することができる。具体的には、特定の光を効率よく取り出せるように配置された可視光を反射する膜及び半反射・半透過する膜の間にＥＬ層を配置してもよい。
【０２２７】
例えば、副画素３０２Ｒは、発光素子３５０Ｒと着色層３６７Ｒに接する第３の接着層３６０を有する。着色層３６７Ｒは発光素子３５０Ｒと重なる位置にある。これにより、発光素子３５０Ｒが発する光の一部は、第３の接着層３６０及び着色層３６７Ｒを透過して、図中の矢印に示すように副画素３０２Ｒの外部に射出される。
【０２２８】
タッチパネル３９０は、遮光層３６７ＢＭを有する。遮光層３６７ＢＭは、着色層（例えば着色層３６７Ｒ）を囲むように設けられている。
【０２２９】
タッチパネル３９０は、反射防止層３６７ｐを表示部３０１に重なる位置に有する。反射防止層３６７ｐとして、例えば円偏光板を用いることができる。
【０２３０】
タッチパネル３９０は、絶縁層３２１を有する。絶縁層３２１はトランジスタ３０２ｔ等を覆っている。なお、絶縁層３２１は画素回路又は撮像画素回路に起因する凹凸を平坦化するための層として用いることができる。また、不純物のトランジスタ３０２ｔ等への拡散を抑制することができる絶縁層で、トランジスタ３０２ｔを覆うことが好ましい。
【０２３１】
タッチパネル３９０は、下部電極３５１Ｒの端部に重なる隔壁３２８を有する。また、第１の可撓性基板７０１と第２の可撓性基板７１１の間隔を制御するスペーサ３２９を、隔壁３２８上に有する。
【０２３２】
画像信号線駆動回路３０３ｓ（１）は、トランジスタ３０３ｔ及び容量３０３ｃを含む。なお、駆動回路は画素回路と同一の工程で同一基板上に形成することができる。図１０（Ｂ）に示すようにトランジスタ３０３ｔは絶縁層３２１上に第２のゲート３０４を有していてもよい。第２のゲート３０４はトランジスタ３０３ｔのゲートと電気的に接続されていてもよいし、これらに異なる電位が与えられていてもよい。また、必要であれば、第２のゲート３０４をトランジスタ３０８ｔ又はトランジスタ３０２ｔ等にそれぞれ設けてもよい。
【０２３３】
撮像画素３０８は、光電変換素子３０８ｐ及び撮像画素回路を有する。撮像画素回路は、光電変換素子３０８ｐに照射された光を検知することができる。撮像画素回路は、トランジスタ３０８ｔを含む。例えばｐｉｎ型のフォトダイオードを光電変換素子３０８ｐに用いることができる。
【０２３４】
タッチパネル３９０は、信号を供給することができる配線３１１を有し、端子３１９が配線３１１に設けられている。画像信号及び同期信号等の信号を供給することができるＦＰＣ３０９が端子３１９に電気的に接続されている。ＦＰＣ３０９にはプリント配線基板（ＰＷＢ）が取り付けられていてもよい。
【０２３５】
なお、トランジスタ３０２ｔ、トランジスタ３０３ｔ、トランジスタ３０８ｔ等のトランジスタは、同一の工程で形成することができる。または、それぞれ異なる工程で形成してもよい。
【０２３６】
＜構成例２＞
図１１（Ａ）、（Ｂ）は、タッチパネル５０５の斜視図である。なお明瞭化のため、代表的な構成要素を示す。図１２は、図１１（Ａ）に示す一点鎖線Ｘ１−Ｘ２間の断面図である。
【０２３７】
図１１（Ａ）、（Ｂ）に示すように、タッチパネル５０５は、表示部５０１、走査線駆動回路３０３ｇ（１）、及びタッチセンサ５９５等を有する。また、タッチパネル５０５は、第１の可撓性基板７０１、第２の可撓性基板７１１、及び可撓性基板５９０を有する。
【０２３８】
タッチパネル５０５は、複数の画素及び複数の配線３１１を有する。複数の配線３１１は、画素に信号を供給することができる。複数の配線３１１は、第１の可撓性基板７０１の外周部にまで引き回され、その一部が端子３１９を構成している。端子３１９はＦＰＣ５０９（１）と電気的に接続する。
【０２３９】
タッチパネル５０５は、タッチセンサ５９５及び複数の配線５９８を有する。複数の配線５９８は、タッチセンサ５９５と電気的に接続される。複数の配線５９８は可撓性基板５９０の外周部に引き回され、その一部は端子を構成する。そして、当該端子はＦＰＣ５０９（２）と電気的に接続される。なお、図１１（Ｂ）では明瞭化のため、可撓性基板５９０の裏面側（第１の可撓性基板７０１と対向する面側）に設けられるタッチセンサ５９５の電極及び配線等を実線で示している。
【０２４０】
タッチセンサ５９５には、例えば静電容量方式のタッチセンサを適用できる。静電容量方式としては、表面型静電容量方式、投影型静電容量方式等がある。ここでは、投影型静電容量方式のタッチセンサを適用する場合を示す。
【０２４１】
投影型静電容量方式としては、自己容量方式、相互容量方式などがある。相互容量方式を用いると同時多点検出が可能となるため好ましい。
【０２４２】
なお、タッチセンサ５９５には、指等の検知対象の近接又は接触を検知することができるさまざまなセンサを適用することができる。
【０２４３】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０２４４】
電極５９２は、図１１（Ａ）、（Ｂ）に示すように、一方向に繰り返し配置された複数の四辺形が角部で接続された形状を有する。
【０２４５】
電極５９１は四辺形であり、電極５９２が延在する方向と交差する方向に繰り返し配置されている。なお、複数の電極５９１は、一の電極５９２と必ずしも直交する方向に配置される必要はなく、９０度未満の角度をなすように配置されてもよい。
【０２４６】
配線５９４は電極５９２と交差して設けられている。配線５９４は、電極５９２の１つを挟む２つの電極５９１を電気的に接続する。このとき、電極５９２と配線５９４の交差部の面積ができるだけ小さくなる形状が好ましい。これにより、電極が設けられていない領域の面積を低減でき、光の透過率のムラを低減できる。その結果、タッチセンサ５９５を透過する光の輝度ムラを低減することができる。
【０２４７】
なお、電極５９１、電極５９２の形状はこれに限られず、様々な形状を取りうる。
【０２４８】
図１２（Ａ）に示すように、タッチパネル５０５は、第１の可撓性基板７０１、第１の接着層７０３、第１の絶縁層７０５、第２の可撓性基板７１１、第２の接着層７１３、及び第２の絶縁層７１５を有する。また、第１の可撓性基板７０１及び第２の可撓性基板７１１は、第３の接着層３６０で貼り合わされている。
【０２４９】
接着層５９７は、タッチセンサ５９５が表示部５０１に重なるように、可撓性基板５９０を第２の可撓性基板７１１に貼り合わせている。接着層５９７は、透光性を有する。
【０２５０】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。なお、グラフェンを含む膜を用いることもできる。グラフェンを含む膜は、例えば膜状に形成された酸化グラフェンを含む膜を還元して形成することができる。還元する方法としては、熱を加える方法等を挙げることができる。
【０２５１】
また、電極５９１、電極５９２、配線５９４などの導電膜、つまり、タッチパネルを構成する配線及び電極に用いる材料として、酸化インジウム、酸化錫、酸化亜鉛等を有する透明導電膜（例えば、ＩＴＯなど）が挙げられる。また、タッチパネルを構成する配線及び電極に用いる材料は、抵抗値が低いことが好ましい。一例として、銀、銅、アルミニウム、カーボンナノチューブ、グラフェン、ハロゲン化金属（ハロゲン化銀など）などを用いてもよい。さらに、非常に細くした（例えば、直径が数ナノメートル）、複数の導電体を用いて構成される金属ナノワイヤを用いてもよい。または、導電体を網目状にした金属メッシュを用いてもよい。一例としては、Ａｇナノワイヤ、Ｃｕナノワイヤ、Ａｌナノワイヤ、Ａｇメッシュ、Ｃｕメッシュ、Ａｌメッシュなどを用いてもよい。例えば、タッチパネルを構成する配線又は電極にＡｇナノワイヤを用いる場合、可視光において透過率を８９％以上、シート抵抗値を４０Ω／□以上１００Ω／□以下とすることができる。また、上述したタッチパネルを構成する配線又は電極に用いることのできる材料の一例である、金属ナノワイヤ、金属メッシュ、カーボンナノチューブ、グラフェンなどは、可視光において透過率が高いため、表示素子に用いる電極（例えば、画素電極または共通電極など）として用いてもよい。
【０２５２】
透光性を有する導電性材料を可撓性基板５９０上にスパッタリング法により成膜した後、フォトリソグラフィ法等の様々なパターニング技術により、不要な部分を除去して、電極５９１及び電極５９２を形成することができる。
【０２５３】
電極５９１及び電極５９２は絶縁層５９３で覆われている。また、電極５９１に達する開口が絶縁層５９３に設けられ、配線５９４が隣接する電極５９１を電気的に接続する。透光性の導電性材料は、タッチパネルの開口率を高めることができるため、配線５９４に好適に用いることができる。また、電極５９１及び電極５９２より導電性の高い材料は、電気抵抗を低減できるため配線５９４に好適に用いることができる。
【０２５４】
なお、絶縁層５９３及び配線５９４を覆う絶縁層を設けて、タッチセンサ５９５を保護することができる。
【０２５５】
また、接続層５９９は、配線５９８とＦＰＣ５０９（２）を電気的に接続する。
【０２５６】
表示部５０１は、マトリクス状に配置された複数の画素を有する。画素は、構成例１と同様であるため、説明を省略する。
【０２５７】
なお、図１２（Ｂ）に示すように、可撓性基板５９０を用いず、第１の可撓性基板７０１及び第２の可撓性基板７１１の２枚の基板でタッチパネルを構成してもよい。第２の可撓性基板７１１と第２の絶縁層７１５が第２の接着層７１３で貼り合わされており、第２の絶縁層７１５に接してタッチセンサ５９５が設けられている。タッチセンサ５９５を覆う絶縁層５８９に接して、着色層３６７Ｒ及び遮光層３６７ＢＭが設けられている。絶縁層５８９を設けず、着色層３６７Ｒ又は遮光層３６７ＢＭを配線５９４に接して設けてもよい。
【０２５８】
＜構成例３＞
図１３は、タッチパネル５０５Ｂの断面図である。本実施の形態で説明するタッチパネル５０５Ｂは、供給された画像情報をトランジスタが設けられている側に表示する点及びタッチセンサが表示部の第１の可撓性基板７０１側に設けられている点が、構成例２のタッチパネル５０５とは異なる。ここでは異なる構成について詳細に説明し、同様の構成を用いることができる部分は、上記の説明を援用する。
【０２５９】
着色層３６７Ｒは発光素子３５０Ｒと重なる位置にある。また、図１３（Ａ）に示す発光素子３５０Ｒは、トランジスタ３０２ｔが設けられている側に光を射出する。これにより、発光素子３５０Ｒが発する光の一部は着色層３６７Ｒを透過して、図中に示す矢印の方向のタッチパネル５０５Ｂの外部に射出される。
【０２６０】
タッチパネル５０５Ｂは、光を射出する方向に遮光層３６７ＢＭを有する。遮光層３６７ＢＭは、着色層（例えば着色層３６７Ｒ）を囲むように設けられている。
【０２６１】
タッチセンサ５９５は、第２の可撓性基板７１１側でなく、第１の可撓性基板７０１側に設けられている（図１３（Ａ））。
【０２６２】
接着層５９７は、タッチセンサ５９５が表示部に重なるように、可撓性基板５９０を第１の可撓性基板７０１に貼り合わせている。接着層５９７は、透光性を有する。
【０２６３】
なお、ボトムゲート型のトランジスタを表示部５０１に適用する場合の構成を、図１３（Ａ）、（Ｂ）に示す。
【０２６４】
例えば、酸化物半導体、アモルファスシリコン等を含む半導体層を、図１３（Ａ）に示すトランジスタ３０２ｔ及びトランジスタ３０３ｔに適用することができる。
【０２６５】
例えば、多結晶シリコン等を含む半導体層を、図１３（Ｂ）に示すトランジスタ３０２ｔ及びトランジスタ３０３ｔに適用することができる。
【０２６６】
また、トップゲート型のトランジスタを適用する場合の構成を、図１３（Ｃ）に示す。
【０２６７】
例えば、多結晶シリコン又は単結晶シリコン基板等から転置された単結晶シリコン膜等を含む半導体層を、図１３（Ｃ）に示すトランジスタ３０２ｔ及びトランジスタ３０３ｔに適用することができる。
【０２６８】
本実施の形態は、他の実施の形態と適宜組み合わせることができる。
【０２６９】
（実施の形態４）
本実施の形態では、本発明の一態様の電子機器及び照明装置について、図面を用いて説明する。
【０２７０】
本発明の一態様の発光装置、表示装置、又は入出力装置等を用いて、二次元画像に強い立体感又は自然な立体感を得ることができる電子機器又は照明装置を作製できる。また、二次元画像に強い立体感又は自然な立体感を得ることができ、かつ、疲労が生じにくい電子機器又は照明装置を作製できる。さらに本発明の一態様は、曲面又は可撓性を有する電子機器又は照明装置にも適用することができる。
【０２７１】
電子機器としては、例えば、テレビジョン装置（テレビ、又はテレビジョン受信機ともいう）、コンピュータ用などのモニタ、デジタルカメラ、デジタルビデオカメラ、デジタルフォトフレーム、携帯電話機（携帯電話、携帯電話装置ともいう）、ゴーグル型ディスプレイ（ヘッドマウントディスプレイ）、携帯型ゲーム機、携帯情報端末、音響再生装置、パチンコ機などの大型ゲーム機などが挙げられる。
【０２７２】
また、本発明の一態様の電子機器又は照明装置は可撓性を有するため、家屋もしくはビルの内壁もしくは外壁、又は、自動車の内装もしくは外装の曲面に沿って組み込むことも可能である。
【０２７３】
また、本発明の一態様の電子機器は、二次電池を有していてもよく、非接触電力伝送を用いて、二次電池を充電することができると好ましい。
【０２７４】
二次電池としては、例えば、ゲル状電解質を用いるリチウムポリマー電池（リチウムイオンポリマー電池）等のリチウムイオン二次電池、ニッケル水素電池、ニカド電池、有機ラジカル電池、鉛蓄電池、空気二次電池、ニッケル亜鉛電池、銀亜鉛電池などが挙げられる。
【０２７５】
本発明の一態様の電子機器は、アンテナを有していてもよい。アンテナで信号を受信することで、表示部で映像又は情報等の表示を行うことができる。また、電子機器がアンテナ及び二次電池を有する場合、アンテナを、非接触電力伝送に用いてもよい。
【０２７６】
図１４（Ａ）、（Ｂ）、（Ｃ１）、（Ｃ２）、（Ｄ）、（Ｅ）に、湾曲した表示部７０００を有する電子機器の一例を示す。表示部７０００はその表示面が湾曲して設けられ、湾曲した表示面に沿って表示を行うことができる。なお、表示部７０００は可撓性を有していてもよい。
【０２７７】
表示部７０００は、本発明の一態様の発光装置、表示装置、又は入出力装置等を用いて作製される。
【０２７８】
本発明の一態様により、湾曲した表示部を備え、且つ二次元画像に強い立体感又は自然な立体感を得ることができる電子機器を提供できる。
【０２７９】
図１４（Ａ）に携帯電話機の一例を示す。携帯電話機７１００は、筐体７１０１、表示部７０００、操作ボタン７１０３、外部接続ポート７１０４、スピーカ７１０５、マイク７１０６等を有する。
【０２８０】
図１４（Ａ）に示す携帯電話機７１００は、表示部７０００にタッチセンサを備える。電話を掛ける、或いは文字を入力するなどのあらゆる操作は、指又はスタイラスなどで表示部７０００に触れることで行うことができる。
【０２８１】
また、操作ボタン７１０３の操作により、電源のＯＮ、ＯＦＦ動作、又は表示部７０００に表示される画像の種類を切り替えることができる。例えば、メール作成画面から、メインメニュー画面に切り替えることができる。
【０２８２】
図１４（Ｂ）にテレビジョン装置の一例を示す。テレビジョン装置７２００は、筐体７２０１に表示部７０００が組み込まれている。ここでは、スタンド７２０３により筐体７２０１を支持した構成を示している。
【０２８３】
図１４（Ｂ）に示すテレビジョン装置７２００の操作は、筐体７２０１が備える操作スイッチ又は別体のリモコン操作機７２１１により行うことができる。または、表示部７０００にタッチセンサを備えていてもよく、指等で表示部７０００に触れることで操作してもよい。リモコン操作機７２１１は、当該リモコン操作機７２１１から出力する情報を表示する表示部を有していてもよい。リモコン操作機７２１１が備える操作キー又はタッチパネルにより、チャンネル又は音量の操作を行うことができ、表示部７０００に表示される映像を操作することができる。
【０２８４】
なお、テレビジョン装置７２００は、受信機又はモデムなどを備えた構成とする。受信機により一般のテレビ放送の受信を行うことができる。また、モデムを介して有線又は無線による通信ネットワークに接続することにより、一方向（送信者から受信者）又は双方向（送信者と受信者間、あるいは受信者間同士など）の情報通信を行うことも可能である。
【０２８５】
図１４（Ｃ１）、（Ｃ２）、（Ｄ）、（Ｅ）に携帯情報端末の一例を示す。各携帯情報端末は、筐体７３０１及び表示部７０００を有する。さらに、操作ボタン、外部接続ポート、スピーカ、マイク、アンテナ、又はバッテリ等を有していてもよい。表示部７０００にはタッチセンサを備える。携帯情報端末の操作は、指又はスタイラスなどで表示部７０００に触れることで行うことができる。
【０２８６】
図１４（Ｃ１）は、携帯情報端末７３００の斜視図であり、図１４（Ｃ２）は携帯情報端末７３００の上面図である。図１４（Ｄ）は、携帯情報端末７３１０の斜視図である。図１４（Ｅ）は、携帯情報端末７３２０の斜視図である。
【０２８７】
本実施の形態で例示する携帯情報端末は、例えば、電話機、手帳又は情報閲覧装置等から選ばれた一つ又は複数の機能を有する。具体的には、スマートフォンとしてそれぞれ用いることができる。本実施の形態で例示する携帯情報端末は、例えば、移動電話、電子メール、文章閲覧及び作成、音楽再生、インターネット通信、コンピュータゲームなどの種々のアプリケーションを実行することができる。
【０２８８】
携帯情報端末７３００、携帯情報端末７３１０及び携帯情報端末７３２０は、文字又は画像情報をその複数の面に表示することができる。例えば、図１４（Ｃ１）、（Ｄ）に示すように、３つの操作ボタン７３０２を一の面に表示し、矩形で示す情報７３０３を他の面に表示することができる。図１４（Ｃ１）、（Ｃ２）では、携帯情報端末の上側に情報が表示される例を示し、図１４（Ｄ）では、携帯情報端末の横側に情報が表示される例を示す。また、携帯情報端末の３面以上に情報を表示してもよく、図１４（Ｅ）では、情報７３０４、情報７３０５、情報７３０６がそれぞれ異なる面に表示されている例を示す。
【０２８９】
なお、情報の例としては、ＳＮＳ（ソーシャル・ネットワーキング・サービス）の通知、電子メールもしくは電話などの着信を知らせる表示、電子メールなどの題名もしくは送信者名、日時、時刻、バッテリの残量、アンテナ受信の強度などがある。または、情報が表示されている位置に、情報の代わりに、操作ボタン、アイコンなどを表示してもよい。
【０２９０】
例えば、携帯情報端末７３００の使用者は、洋服の胸ポケットに携帯情報端末７３００を収納した状態で、その表示（ここでは情報７３０３）を確認することができる。
【０２９１】
具体的には、着信した電話の発信者の電話番号又は氏名等を、携帯情報端末７３００の上方から観察できる位置に表示する。使用者は、携帯情報端末７３００をポケットから取り出すことなく、表示を確認し、電話を受けるか否かを判断できる。
【０２９２】
図１４（Ｆ）〜（Ｈ）に、湾曲した発光部を有する照明装置の一例を示している。
【０２９３】
図１４（Ｆ）〜（Ｈ）に示す各照明装置が有する発光部は、本発明の一態様の発光装置等を用いて作製される。
【０２９４】
本発明の一態様により、湾曲した発光部を備えた照明装置を提供できる。
【０２９５】
図１４（Ｆ）に示す照明装置７４００は、波状の発光面を有する発光部７４０２を備える。したがってデザイン性の高い照明装置となっている。
【０２９６】
図１４（Ｇ）に示す照明装置７４１０の備える発光部７４１２は、凸状に湾曲した２つの発光部が対称的に配置された構成となっている。したがって照明装置７４１０を中心に全方位を照らすことができる。
【０２９７】
図１４（Ｈ）に示す照明装置７４２０は、凹状に湾曲した発光部７４２２を備える。したがって、発光部７４２２からの発光を、照明装置７４２０の前面に集光するため、特定の範囲を明るく照らす場合に適している。また、このような形態とすることで、影ができにくいという効果を奏する。
【０２９８】
また、照明装置７４００、照明装置７４１０及び照明装置７４２０の備える各々の発光部は可撓性を有していてもよい。発光部を可塑性の部材又は可動なフレームなどの部材で固定し、用途に合わせて発光部の発光面を自在に湾曲可能な構成としてもよい。
【０２９９】
照明装置７４００、照明装置７４１０及び照明装置７４２０は、それぞれ、操作スイッチ７４０３を備える台部７４０１と、台部７４０１に支持される発光部を有する。
【０３００】
なおここでは、台部によって発光部が支持された照明装置について例示したが、発光部を備える筐体を天井に固定する、又は天井からつり下げるように用いることもできる。発光面を湾曲させて用いることができるため、発光面を凹状に湾曲させて特定の領域を明るく照らす、又は発光面を凸状に湾曲させて部屋全体を明るく照らすこともできる。
【０３０１】
図１５（Ａ１）、（Ａ２）、（Ｂ）〜（Ｉ）に、可撓性を有する表示部７００１を有する携帯情報端末の一例を示す。
【０３０２】
表示部７００１は、本発明の一態様の発光装置、表示装置、又は入出力装置等を用いて作製される。例えば、曲率半径０．０１ｍｍ以上１５０ｍｍ以下で曲げることができる発光装置、表示装置、又は入出力装置等を適用できる。また、表示部７００１はタッチセンサを備えていてもよく、指等で表示部７００１に触れることで携帯情報端末を操作することができる。
【０３０３】
本発明の一態様により、可撓性を有する表示部を備え、且つ二次元画像に強い立体感又は自然な立体感を得ることができる電子機器を提供できる。
【０３０４】
図１５（Ａ１）は、携帯情報端末の一例を示す斜視図であり、図１５（Ａ２）は、携帯情報端末の一例を示す側面図である。携帯情報端末７５００は、筐体７５０１、表示部７００１、引き出し部材７５０２、操作ボタン７５０３等を有する。
【０３０５】
携帯情報端末７５００は、筐体７５０１内にロール状に巻かれた可撓性を有する表示部７００１を有する。
【０３０６】
また、携帯情報端末７５００は内蔵された制御部によって映像信号を受信可能で、受信した映像を表示部７００１に表示することができる。また、携帯情報端末７５００にはバッテリが内蔵されている。また、筐体７５０１にコネクターを接続する端子部を備え、映像信号又は電力を有線により外部から直接供給する構成としてもよい。
【０３０７】
また、操作ボタン７５０３によって、電源のＯＮ、ＯＦＦ動作、又は表示する映像の切り替え等を行うことができる。なお、図１５（Ａ１）、（Ａ２）、（Ｂ）では、携帯情報端末７５００の側面に操作ボタン７５０３を配置する例を示すが、これに限られず、携帯情報端末７５００の表示面と同じ面（おもて面）又は裏面に配置してもよい。
【０３０８】
図１５（Ｂ）には、表示部７００１を引き出した状態の携帯情報端末７５００を示す。この状態で表示部７００１に映像を表示することができる。表示部７００１は、引き出し部材７５０２を用いて引き出すことができる。また、表示部７００１の一部がロール状に巻かれた図１５（Ａ１）の状態と表示部７００１を引き出した図１５（Ｂ）の状態とで、携帯情報端末７５００が異なる表示を行う構成としてもよい。例えば、図１５（Ａ１）の状態のときに、表示部７００１のロール状に巻かれた部分を非表示とすることで、携帯情報端末７５００の消費電力を下げることができる。
【０３０９】
なお、表示部７００１を引き出した際に表示部７００１の表示面が平面状となるように固定するため、表示部７００１の側部に補強のためのフレームを設けていてもよい。
【０３１０】
なお、この構成以外に、筐体にスピーカを設け、映像信号と共に受信した音声信号によって音声を出力する構成としてもよい。
【０３１１】
図１５（Ｃ）〜（Ｅ）に、折りたたみ可能な携帯情報端末の一例を示す。図１５（Ｃ）では、展開した状態、図１５（Ｄ）では、展開した状態又は折りたたんだ状態の一方から他方に変化する途中の状態、図１５（Ｅ）では、折りたたんだ状態の携帯情報端末７６００を示す。携帯情報端末７６００は、折りたたんだ状態では可搬性に優れ、展開した状態では、継ぎ目のない広い表示領域により一覧性に優れる。
【０３１２】
表示部７００１はヒンジ７６０２によって連結された３つの筐体７６０１に支持されている。ヒンジ７６０２を介して２つの筐体７６０１間を屈曲させることにより、携帯情報端末７６００を展開した状態から折りたたんだ状態に可逆的に変形させることができる。
【０３１３】
図１５（Ｆ）、（Ｇ）に、折りたたみ可能な携帯情報端末の一例を示す。図１５（Ｆ）では、表示部７００１が内側になるように折りたたんだ状態、図１５（Ｇ）では、表示部７００１が外側になるように折りたたんだ状態の携帯情報端末７６５０を示す。携帯情報端末７６５０は表示部７００１及び非表示部７６５１を有する。携帯情報端末７６５０を使用しない際に、表示部７００１が内側になるように折りたたむことで、表示部７００１の汚れ又は傷つきを抑制できる。
【０３１４】
図１５（Ｈ）に、可撓性を有する携帯情報端末の一例を示す。携帯情報端末７７００は、筐体７７０１及び表示部７００１を有する。さらに、入力手段であるボタン７７０３ａ、７７０３ｂ、音声出力手段であるスピーカ７７０４ａ、７７０４ｂ、外部接続ポート７７０５、マイク７７０６等を有していてもよい。また、携帯情報端末７７００は、可撓性を有するバッテリ７７０９を搭載することができる。バッテリ７７０９は例えば表示部７００１と重ねて配置してもよい。
【０３１５】
筐体７７０１、表示部７００１、及びバッテリ７７０９は可撓性を有する。そのため、携帯情報端末７７００を所望の形状に湾曲させること、又は携帯情報端末７７００に捻りを加えることが容易である。例えば、携帯情報端末７７００は、表示部７００１が内側又は外側になるように折り曲げて使用することができる。または、携帯情報端末７７００をロール状に巻いた状態で使用することもできる。このように、筐体７７０１及び表示部７００１を自由に変形することが可能であるため、携帯情報端末７７００は、落下した場合、又は意図しない外力が加わった場合であっても、破損しにくいという利点がある。
【０３１６】
また、携帯情報端末７７００は軽量であるため、筐体７７０１の上部をクリップ等で把持してぶら下げて使用する、又は、筐体７７０１を磁石等で壁面に固定して使用するなど、様々な状況において利便性良く使用することができる。
【０３１７】
図１５（Ｉ）に腕時計型の携帯情報端末の一例を示す。携帯情報端末７８００は、バンド７８０１、表示部７００１、入出力端子７８０２、操作ボタン７８０３等を有する。バンド７８０１は、筐体としての機能を有する。また、携帯情報端末７８００は、可撓性を有するバッテリ７８０５を搭載することができる。バッテリ７８０５は例えば表示部７００１又はバンド７８０１と重ねて配置してもよい。
【０３１８】
バンド７８０１、表示部７００１、及びバッテリ７８０５は可撓性を有する。そのため、携帯情報端末７８００を所望の形状に湾曲させることが容易である。
【０３１９】
操作ボタン７８０３は、時刻設定のほか、電源のオン、オフ動作、無線通信のオン、オフ動作、マナーモードの実行及び解除、省電力モードの実行及び解除など、様々な機能を持たせることができる。例えば、携帯情報端末７８００に組み込まれたオペレーティングシステムにより、操作ボタン７８０３の機能を自由に設定することもできる。
【０３２０】
また、表示部７００１に表示されたアイコン７８０４に指等で触れることで、アプリケーションを起動することができる。
【０３２１】
また、携帯情報端末７８００は、通信規格された近距離無線通信を実行することが可能である。例えば無線通信可能なヘッドセットと相互通信することによって、ハンズフリーで通話することもできる。
【０３２２】
また、携帯情報端末７８００は入出力端子７８０２を有していてもよい。入出力端子７８０２を有する場合、他の情報端末とコネクターを介して直接データのやりとりを行うことができる。また入出力端子７８０２を介して充電を行うこともできる。なお、本実施の形態で例示する携帯情報端末の充電動作は、入出力端子を介さずに非接触電力伝送により行ってもよい。
【０３２３】
図１６（Ａ）に自動車９７００の外観を示す。図１６（Ｂ）に自動車９７００の運転席を示す。自動車９７００は、車体９７０１、車輪９７０２、ダッシュボード９７０３、ライト９７０４等を有する。本発明の一態様の表示装置又は入出力装置等は、自動車９７００の表示部などに用いることができる。例えば、図１６（Ｂ）に示す表示部９７１０乃至表示部９７１５に本発明の一態様の表示装置又は入出力装置等を設けることができる。
【０３２４】
表示部９７１０と表示部９７１１は、自動車のフロントガラスに設けられた表示装置である。本発明の一態様の表示装置又は入出力装置等は、電極及び配線を、透光性を有する導電性材料で作製することによって、反対側が透けて見える、いわゆるシースルー状態とすることができる。表示部９７１０又は表示部９７１１がシースルー状態であれば、自動車９７００の運転時にも視界の妨げになることがない。よって、本発明の一態様の表示装置又は入出力装置等を自動車９７００のフロントガラスに設置することができる。なお、表示装置又は入出力装置等を駆動するためのトランジスタなどを設ける場合には、有機半導体材料を用いた有機トランジスタ、又は酸化物半導体を用いたトランジスタなど、透光性を有するトランジスタを用いるとよい。
【０３２５】
表示部９７１２はピラー部分に設けられた表示装置である。例えば、車体に設けられた撮像手段からの映像を表示部９７１２に映し出すことによって、ピラーで遮られた視界を補完することができる。表示部９７１３はダッシュボード部分に設けられた表示装置である。例えば、車体に設けられた撮像手段からの映像を表示部９７１３に映し出すことによって、ダッシュボードで遮られた視界を補完することができる。すなわち、自動車の外側に設けられた撮像手段からの映像を映し出すことによって、死角を補い、安全性を高めることができる。また、見えない部分を補完する映像を映すことによって、より自然に違和感なく安全確認を行うことができる。
【０３２６】
また、図１６（Ｃ）は、運転席と助手席にベンチシートを採用した自動車の室内を示している。表示部９７２１は、ドア部に設けられた表示装置である。例えば、車体に設けられた撮像手段からの映像を表示部９７２１に映し出すことによって、ドアで遮られた視界を補完することができる。また、表示部９７２２は、ハンドルに設けられた表示装置である。表示部９７２３は、ベンチシートの座面の中央部に設けられた表示装置である。なお、表示装置を座面又は背もたれ部分などに設置して、当該表示装置を、当該表示装置の発熱を熱源としたシートヒーターとして利用することもできる。
【０３２７】
表示部９７１４、表示部９７１５、または表示部９７２２はナビゲーション情報、スピードメーター、タコメーター、走行距離、給油量、ギア状態、エアコンの設定など、その他様々な情報を提供することができる。また、表示部に表示される表示項目及びレイアウトなどは、使用者の好みに合わせて適宜変更することができる。なお、上記情報は、表示部９７１０乃至表示部９７１３、表示部９７２１、表示部９７２３にも表示することができる。また、表示部９７１０乃至表示部９７１５、表示部９７２１乃至表示部９７２３は照明装置として用いることも可能である。また、表示部９７１０乃至表示部９７１５、表示部９７２１乃至表示部９７２３は加熱装置として用いることも可能である。
【０３２８】
本実施の形態は、他の実施の形態と適宜組み合わせることができる。
【実施例１】
【０３２９】
本実施例では、表示部に表示された二次元画像から観察者が得る立体感と、表示部の大きさと、表示部の湾曲の度合いと、の相関を調べるために行った感性評価の結果について説明する。
【０３３０】
感性評価には３種類の表示装置を用いた。いずれも可撓性を有する有機ＥＬディスプレイであり、表示部を湾曲させた状態で表示を行うことができる。
【０３３１】
発光素子には、白色の光を呈するタンデム（積層）型の有機ＥＬ素子を用いた。発光素子はトップエミッション構造であり、発光素子の光は、カラーフィルタを通して有機ＥＬディスプレイの外部に取り出される。白色表示（昼光色（Ｄ６５：ｘ＝０．３１、ｙ＝０．３３））の輝度は３００ｃｄ／ｍ２とした。
【０３３２】
１種類目は、精細度が３２６ｐｐｉ、解像度がＱＨＤ（Ｑｕａｒｔｅｒ  Ｈｉｇｈ  Ｄｅｆｉｎｉｔｉｏｎ、９６０×５４０×ＲＧＢ）である、３．４インチの有機ＥＬディスプレイである。
【０３３３】
２種類目は、精細度が２４９ｐｐｉ、解像度がＨＤ（Ｈｉｇｈ  Ｄｅｆｉｎｉｔｉｏｎ、１２８０×７２０×ＲＧＢ）である、５．９インチの有機ＥＬディスプレイである。
【０３３４】
３種類目は、精細度が２３８ｐｐｉ、解像度がＦＨＤ（Ｆｕｌｌ  Ｈｉｇｈ  Ｄｅｆｉｎｉｔｉｏｎ、１９２０×１０８０×ＲＧＢ）である、９．２インチの有機ＥＬディスプレイである。
【０３３５】
本実施例では、同じ種類の表示装置を２つ用いた。一方の表示装置は、表示部を湾曲させた状態で用い、他方の表示装置は、比較として、表示部を湾曲させずに、平滑な状態で用いた。
【０３３６】
観察者は、比較である平滑な表示部を有する表示装置と、湾曲させた表示部を有する表示装置と、を横に並べて見比べながら評価を行った。
【０３３７】
観察者は、同一の動画像について、湾曲させた表示部を観察した場合と、比較の平滑な表示部を観察した場合を比較し、「立体感」、「手前感」、「奥行き感」、「疲労感」、「自然さ」、「実際に機器として使用したいかどうか」に差があるかを評価した。なお、評価語に用いた、「手前感」とは、映像が観察者側に向かってくるように感じることを指す。また、「奥行き感」とは、表示部の奥側に広がりを感じることを指す。また、「立体感」とは、手前感と奥行き感を含むものとし、ｎａｔｕｒａｌ３Ｄに最も近い意味をもつ評価語であるといえる。また、「自然さ」とは、違和感がないかを指す。
【０３３８】
評価には、ＳＤ（ｓｅｍａｎｔｉｃ  ｄｉｆｆｅｒｅｎｔｉａｌ）法を用いた。具体的には、観察者は、平滑な表示部を観察した場合と比べた、湾曲させた表示部を観察した場合の動画像の「立体感」、「手前感」、「奥行き感」、「疲労感」、「自然さ」、「実際に機器として使用したいかどうか」を、５段階（±２、±１、０）で評価した。例えば、「立体感」、「手前感」、「奥行き感」は、それぞれ「とても強い（＋２）」、「強い（＋１）」、「変わらない（０）」、「弱い（−１）」、「とても弱い（−２）」の５段階で評価した。なお、「疲労感」については、正の値が疲労しにくい傾向を示し、負の値が疲労しやすい傾向を示す。
【０３３９】
そして、得られた結果に対して統計的有意差検定を行い、実験の信頼性を確保した。なお、本実施例で説明する全ての実験において、被験者数は統計的な判断を十分に下すことができる２０人以上とした。具体的な被験者数は、３．４インチの表示パネルについては２８人、５．９インチの表示パネルについては２３人、９．２インチの表示パネルについては２０人である。なお、視距離は、本実施例で説明する全ての条件において３０ｃｍとした。
【０３４０】
本実施例では、表示装置を、表示部の左右方向（表示部の長軸方向）に曲げた。曲げ方は、図１（Ａ１）、図１７（Ａ）〜（Ｄ）に示すように、表示面側（観察者側）に凸面（凸曲面）が形成されるように曲げる場合と、図１（Ｂ１）、図１７（Ｅ）〜（Ｈ）に示すように、表示面側（観察者側）に凹面（凹曲面）が形成されるように曲げる場合と、の２種類とした。湾曲の大きさは、中心角θが約２１°、約４２°、約８５°、約１４０°の４種類をそれぞれ用いた。図１７（Ａ）〜（Ｈ）に、各中心角θの凸面又は凹面が形成されるように曲げた表示装置を示す。なお、各サイズの表示パネルにおける、中心角θと曲率半径Ｒの関係を表１に示す。
【０３４１】
【表１】
2016110117.tif 000003
【０３４２】
図１８〜図２３に、評価結果を示す。評価結果は、凸面（各図の（Ａ））と凹面（各図の（Ｂ））に分けて示す。評価結果では、観察者全員の評価の得点の平均を示す。また、統計的に９５％以上の確率で有意差が認められた条件を＊で示す。
【０３４３】
図１８（Ａ）、（Ｂ）に示すように、表示部の大きさ、中心角の大きさ、曲げ方によらず、ほとんどの条件で、比較である平滑な表示部に比べて、立体感が向上していることがわかった。
【０３４４】
また、図１９（Ａ）、（Ｂ）、図２０（Ａ）、（Ｂ）に示すように、凸面が形成されるように曲げる場合には手前感が、凹面が形成されるように曲げる場合には奥行き感が特に強まる傾向が確認できた。
【０３４５】
中心角θは、約２１°よりも、約４２°、約８５°、約１４０°の方が立体感、手前感、奥行き感のそれぞれが強まる傾向が確認できた。
【０３４６】
３．４インチでは、θが約４２°、５．９インチでは、約８５°、９．２インチでは、約１４０°が、立体感、手前感、及び奥行き感が効果的に高められる傾向にあった。これらは、曲率半径に換算すると、いずれも約１００ｍｍとなる。このことから、立体感等を効果的に高めることができる曲率半径は、表示部の大きさによらないことが示唆される。
【０３４７】
図２１（Ａ）、（Ｂ）、図２２（Ａ）、（Ｂ）、図２３（Ａ）、（Ｂ）に示すように、疲労感、自然さ、実際に機器として使用したいかどうか、の結果は、いずれも似た傾向が見られた。
【０３４８】
具体的には、θが約２１°、約４２°のそれぞれの場合は、θが約８５°、約１４０°のそれぞれの場合に比べて、疲労感及び違和感が少なく、より使ってみたいと思う傾向が確認できた。
【０３４９】
総じて、θが約４２°以下では、平滑な表示部よりも自然に見え、疲れにくく、使ってみたいと思う傾向が確認された。特に、５．９インチ、９．２インチといった表示部の比較的大きな表示装置において、疲労感が低くなることに、統計的有意差が得られた。これは、表示部が大きいほど、視野角が狭くなりにくく、目又は脳への負担が低減できるためと考えられる。
【０３５０】
以上のことから、二次元画像に自然な立体感が得られ、かつ疲労しにくい中心角は約４２°が本実施例の条件の最適値であると考えることができる。
【０３５１】
ただし、立体感が強いと感じる条件、疲労しにくい条件等には個人差があった。そのため、表示部の湾曲を固定するのではなく、本発明の一態様の表示装置及び表示システムのように、自由に湾曲の加減を変えることができると好ましいことも確認された。
【実施例２】
【０３５２】
本実施例では、観察者が得た立体感の定量的な評価について説明する。
【０３５３】
本実施例の評価を行う前に、観察者が二次元画像に立体感を得るための指標の一つとして、画像のコントラストがあるということを、感性評価の結果から得た。
【０３５４】
また、本実施例の評価を行う前に、平滑な有機ＥＬディスプレイ（３．９３インチ、４５８ｐｐｉ、コントラスト比１０００００：１以上）と、平滑な液晶ディスプレイ（３．５インチ、３２６ｐｐｉ、コントラスト比８００：１）で、焦点距離をもとに、観察者が二次元画像に得られる立体感の強さを比較した。なお、事前の感性評価で、各観察者は、該液晶ディスプレイに比べて、該有機ＥＬディスプレイの方が、表示された二次元画像に強い立体感が得られると回答した。焦点距離を測定した結果、同一の動画像を視聴したにも関わらず、立体感を強く感じた有機ＥＬディスプレイの方が、液晶ディスプレイよりも焦点距離の変動量が大きい結果が得られた。このことから、観察者が二次元画像に得られる立体感の強さを、焦点距離で評価できる可能性が示唆された。
【０３５５】
そこで、本実施例では、画像のコントラストと、観察者が得る立体感との関係を、生理反応量を測定することで、定量的に評価することを試みた。
【０３５６】
表示装置としては、平滑な有機ＥＬディスプレイ（５．９インチ、２４９ｐｐｉ、解像度ＨＤ（１２８０×７２０×ＲＧＢ））を用いた。
【０３５７】
発光素子には、白色の光を呈するタンデム（積層）型の有機ＥＬ素子を用いた。発光素子はトップエミッション構造であり、発光素子の光は、カラーフィルタを通して有機ＥＬディスプレイの外部に取り出される。
【０３５８】
コントラストの条件は２通りとした。まず、条件１は、全面白色表示２００ｃｄ／ｍ２、全面黒色表示０ｃｄ／ｍ２（測定限界以下）であり、これは有機ＥＬディスプレイのコントラスト性能をそのまま活かした設定である。条件２は、全面白色表示２００ｃｄ／ｍ２、全面黒色表示２ｃｄ／ｍ２である。条件２は、液晶ディスプレイのように黒の表現力が低いディスプレイを想定した条件である。２つの条件の設定は、γ＝２．２をベースとしている。なお、γ値とは画像の階調の応答特性を示す数値である。条件２においてγカーブを変更する部分は２５６階調中０〜６３階調とし、６４〜２５５階調は条件１と条件２共に同じγカーブとした。
【０３５９】
なお、事前の感性評価で、各観察者は、条件２に比べて、条件１の方が、表示された二次元画像に強い立体感が得られると回答した。
【０３６０】
焦点距離の測定には、両眼開放型オートレフ／ケラトメーター（ＷＡＭ−５５００、株式会社レクザム製）を用いた。
【０３６１】
２種類のコントラストの条件で表示する二次元画像は同一の動画である。５０秒間の動画を再生した。観察者の映像の追い方は２種類のコントラストの条件で同様とした。実験は暗室で行い、視距離は５２ｃｍとした。
【０３６２】
図２４に焦点距離の測定結果（観察者１人分のデータ）を示す。図２４において、縦軸は観察者の目の焦点距離を示し、横軸は測定時間を示す。また、図２５には、図２４の結果について、横軸を焦点距離、縦軸を発生頻度としてプロットした結果を示す。図２４及び図２５から、同じ動画を見ているにも関わらず、条件１では、条件２に比べて奥行き方向に焦点が変動していることがわかった。また、図２５において、条件２では、１つのピークを有しているのに対し、条件１では、２つのピークを有している。この結果から、条件１では、手前と奥を知覚していると示唆される。
【０３６３】
ディスプレイの黒の表現力が高い方が、観察者が得られる立体感が強くなり、焦点距離の変動量も大きくなることがわかった。観察者の目の焦点距離の変動量を測定することで、観察者が二次元画像に得た立体感の強さを定量的に評価、分析できることが示唆された。
【符号の説明】
【０３６４】
１０    表示装置
１５    表示システム
２０    構造体
３０Ｌ    左目
３０Ｒ    右目
１０１    表示部
１０２    非表示部
１０４    駆動部
１１０    表示装置
１１１    表示装置
１１２    表示装置
１１３    表示装置
１１４    表示装置
１１５    表示装置
１５１    表示部
１５２    検出部
１５３    制御部
１６１    記憶部
１６２    演算部
１６３    駆動制御部
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０４    ゲート
３０８    撮像画素
３０８ｐ    光電変換素子
３０８ｔ    トランジスタ
３０９    ＦＰＣ
３１１    配線
３１９    端子
３２１    絶縁層
３２８    隔壁
３２９    スペーサ
３５０Ｒ    発光素子
３５１Ｒ    下部電極
３５２    上部電極
３５３    ＥＬ層
３５３ａ    ＥＬ層
３５３ｂ    ＥＬ層
３５４    中間層
３６０    接着層
３６７ＢＭ    遮光層
３６７ｐ    反射防止層
３６７Ｒ    着色層
３９０    タッチパネル
５０１    表示部
５０５    タッチパネル
５０５Ｂ    タッチパネル
５０９    ＦＰＣ
５８９    絶縁層
５９０    可撓性基板
５９１    電極
５９２    電極
５９３    絶縁層
５９４    配線
５９５    タッチセンサ
５９７    接着層
５９８    配線
５９９    接続層
７０１    可撓性基板
７０３    接着層
７０５    絶縁層
７１１    可撓性基板
７１３    接着層
７１５    絶縁層
８０４    発光部
８０６    駆動回路部
８０８    ＦＰＣ
８１４    導電層
８１５    絶縁層
８１７    絶縁層
８１７ａ    絶縁層
８１７ｂ    絶縁層
８２０    トランジスタ
８２１    絶縁層
８２２    接着層
８２３    スペーサ
８２４    トランジスタ
８２５    接続体
８３０    発光素子
８３１    下部電極
８３２    光学調整層
８３３    ＥＬ層
８３５    上部電極
８４５    着色層
８４７    遮光層
８４９    オーバーコート
８５６    導電層
８５７    導電層
８５７ａ    導電層
８５７ｂ    導電層
７０００    表示部
７００１    表示部
７１００    携帯電話機
７１０１    筐体
７１０３    操作ボタン
７１０４    外部接続ポート
７１０５    スピーカ
７１０６    マイク
７２００    テレビジョン装置
７２０１    筐体
７２０３    スタンド
７２１１    リモコン操作機
７３００    携帯情報端末
７３０１    筐体
７３０２    操作ボタン
７３０３    情報
７３０４    情報
７３０５    情報
７３０６    情報
７３１０    携帯情報端末
７３２０    携帯情報端末
７４００    照明装置
７４０１    台部
７４０２    発光部
７４０３    操作スイッチ
７４１０    照明装置
７４１２    発光部
７４２０    照明装置
７４２２    発光部
７５００    携帯情報端末
７５０１    筐体
７５０２    部材
７５０３    操作ボタン
７６００    携帯情報端末
７６０１    筐体
７６０２    ヒンジ
７６５０    携帯情報端末
７６５１    非表示部
７７００    携帯情報端末
７７０１    筐体
７７０３ａ    ボタン
７７０３ｂ    ボタン
７７０４ａ    スピーカ
７７０４ｂ    スピーカ
７７０５    外部接続ポート
７７０６    マイク
７７０９    バッテリ
７８００    携帯情報端末
７８０１    バンド
７８０２    入出力端子
７８０３    操作ボタン
７８０４    アイコン
７８０５    バッテリ
９７００    自動車
９７０１    車体
９７０２    車輪
９７０３    ダッシュボード
９７０４    ライト
９７１０    表示部
９７１１    表示部
９７１２    表示部
９７１３    表示部
９７１４    表示部
９７１５    表示部
９７２１    表示部
９７２２    表示部
９７２３    表示部
【図１】
2016110117.tif 000004
【図２】
2016110117.tif 000005
【図３】
2016110117.tif 000006
【図４】
2016110117.tif 000007
【図５】
2016110117.tif 000008
【図６】
2016110117.tif 000009
【図７】
2016110117.tif 000010
【図８】
2016110117.tif 000011
【図９】
2016110117.tif 000012
【図１０】
2016110117.tif 000013
【図１１】
2016110117.tif 000014
【図１２】
2016110117.tif 000015
【図１３】
2016110117.tif 000016
【図１４】
2016110117.tif 000017
【図１５】
2016110117.tif 000018
【図１６】
2016110117.tif 000019
【図１８】
2016110117.tif 000020
【図１９】
2016110117.tif 000021
【図２０】
2016110117.tif 000022
【図２１】
2016110117.tif 000023
【図２２】
2016110117.tif 000024
【図２３】
2016110117.tif 000025
【図２４】
2016110117.tif 000026
【図２５】
2016110117.tif 000027
【図１７】
2016110117.tif 000028